(57)【要約】      （修正有）【課題】タンクおよびシステムの内部の堆積物を、爆発技術によって除去するための方法および洗浄装置を提供する。【解決手段】内壁にケーキングがある、汚れてスラグが付いた容器および設備の内部に、洗浄装置５１によって爆発性の気体混合物を与え、爆発させる。爆発圧力波が洗浄装置５１の出口開口６９を介して内部７１に伝えられる。爆発の衝撃と、衝撃波によって振動が生じる容器の壁またはパイプの壁が、壁のケーキングおよびスラグを吹き飛ばし、表面を洗浄する。【選択図】図２
2019195808.tif 000002
【特許請求の範囲】
【請求項１】
容器および設備（３０，７０）の内部の堆積物を洗浄装置（１，５１，８１，１０１，１２１，１４１，１６１，１８１，２０１，２２１，２４１）を用い爆発技術によって除去するための方法であって、前記洗浄装置（１，５１，８１，１０１，１２１，１４１，１６１，１８１，２０１，２２１，２４１）は、供給圧管を有する洗浄器具と、前記供給圧管（７，６７，８２，１０２，１２２，１４２，１６１，１８２，２０２，２２２，２４２）に接続され少なくとも１つの出口開口部（２６，６９，８４，１０５，１２５，１４５，１６５，１８５，２０５，２２５，２４５）を有する出口装置とを含み、
前記方法は、
少なくとも１つの気体成分を前記洗浄器具に導入するステップと、
前記供給圧管に、および前記供給圧管を介して前記出口装置に、前記少なくとも１つの気体成分から気体爆発性混合物を与えるステップとを含み、前記供給圧管と前記出口装置（５，６２，４６３）は、前記爆発性混合物の少なくとも一部を収容するための収容空間（２７，８０，４６７）を形成し、
点火装置によって前記爆発性混合物に対し制御された点火を行ない前記爆発性混合物を爆発させるステップを含む、方法。
【請求項２】
前記収容空間（２７，８０，４６７）は、前記少なくとも１つの気体成分の導入中ならびに前記爆発性混合物の点火および爆発中、前記少なくとも１つの出口開口部（２６，６９，４６５）を介して外側に開いていることを特徴とする、請求項１に記載の方法。
【請求項３】
前記爆発性混合物の総体積は、少なくとも、前記収容空間内の爆発性混合物の体積によって形成されることを特徴とする、請求項１または２に記載の方法。
【請求項４】
導入された前記爆発性混合物の一部は、前記出口開口部（２６，６９，８４，１０５，１２５，１４５，１６５，１８５，２０５，２２５，２４５）を介して前記容器または設備（３０，７０）の内部（３１，７１）に導入され、前記爆発性混合物の雲状体（６，７７）が前記内部（３１，７１）に形成されることを特徴とする、請求項１〜３のいずれか一項に記載の方法。
【請求項５】
前記爆発性混合物の総体積は、前記洗浄器具の収容空間の爆発性混合物の体積と、前記洗浄器具の外部に形成される前記爆発性混合物の雲状体の体積とを含むことを特徴とする、請求項４に記載の方法。
【請求項６】
前記爆発性混合物の総体積を、点火装置（１８，６０）によって、制御された状態で爆発させることを特徴とする、請求項３〜５のいずれか一項に記載の方法。
【請求項７】
前記爆発性混合物の総体積は、前記収容空間において生成され、１秒以下、好ましくは０．５秒以下、特に０．１秒以下の期間、制御された状態で爆発させることを特徴とする、請求項３〜６のいずれか一項に記載の方法。
【請求項８】
前記少なくとも１つの気体成分の導入は、少なくとも１つの圧力容器から少なくとも１つの計量器具（２３，３５）を介して行なわれ、前記気体成分の導入の完了後、前記少なくとも１つの圧力容器内の残留圧力は超過圧力領域にあることを特徴とする、請求項１〜７のいずれか一項に記載の方法。
【請求項９】
少なくとも２つの気体成分が前記洗浄器具に導入され、前記気体成分が混合されて爆発性混合物になる混合ゾーン（６１４，６６４）が前記洗浄器具（６０１，６５１）内に形成されることを特徴とする、請求項１〜８のいずれか一項に記載の方法。
【請求項１０】
前記爆発性混合物の総体積を形成するために、前記少なくとも１つの気体成分が、少なくとも１つの計量器具を介して、前記供給圧管（６０６，６５６）の爆発性混合物が圧力波面を形成する高い速度で、前記洗浄器具に導入されることを特徴とする、請求項１〜９のいずれか一項に記載の方法。
【請求項１１】
前記爆発性混合物は、流れの方向において前記圧力波面の後ろで超過圧力を有することを特徴とする、請求項１０に記載の方法。
【請求項１２】
前記爆発性混合物は、流れの方向において前記圧力波面の後ろで、周囲の状態と比較してより高い密度を有することを特徴とする、請求項１０または１１に記載の方法。
【請求項１３】
前記出口開口部の方向に移動し前記少なくとも１つの出口開口部を通して前記爆発性混合物の爆発を引起す爆発圧力波が、前記供給圧管における前記爆発性混合物の点火によって生成され、これにより特に爆発性混合物の雲状体が形成されるまたはその生成が完了することを特徴とする、請求項１〜１２のいずれか一項に記載の方法。
【請求項１４】
前記爆発性混合物は前記供給圧管（７，８２，６７）内で点火されることを特徴とする、請求項１〜１３のいずれか一項に記載の方法。
【請求項１５】
前記供給圧管（７，８２，６７）内で開始された爆発は、前記出口装置（５，６２，８３）の外側にある雲状体（６，７７）に伝達されることを特徴とする、請求項１３に記載の方法。
【請求項１６】
容器または設備（３０，７０）の内部（３１，７１）の堆積物を爆発技術によって除去するための、特に請求項１〜１５に記載の方法を実行するための洗浄装置（１，５１，８１，１０１，１２１，１４１，１６１，１８１，２０１，２２１，２４１）であって、供給圧管（７，６７，８２，９２，１０２，１２２，１４２，１６２，１８２，２０２，２２２，２４２，５０２，５２２）を有する洗浄器具と、前記供給圧管（７，６７，８２，９２，１０２，１２２，１４２，１６２，１８２，２０２，２２２，２４２，５０２，５２２）の端部に配置され少なくとも１つの出口開口部（２６，６９，８５，９５，１０５，１２５，１４５，１６５，１８５，２０５，２２５，２４５）を有する出口装置（５，６２，８３，１０３，１２３，１４３，１６３，１８３，２０３，２２３，２４３）とを備える、洗浄装置。
【請求項１７】
前記供給圧管と前記出口装置（５，６２，４６３）は、爆発性混合物の少なくとも一部を収容するための収容空間（２７，８０，４６７）を形成することを特徴とする、請求項１６に記載の装置。
【請求項１８】
収容空間（２７，８０，４６７）は、前記少なくとも１つの出口開口部を介して外側に開いていることを特徴とする、請求項１６または１７に記載の装置。
【請求項１９】
前記洗浄器具および特に前記出口装置（５，６２，８３，１０３，１２３，１４３，１６３，１８２，２０３，２２３，２４３）は、爆発性混合物を前記容器または設備（３０，７０）の内部（３１，７１）に導入するために、かつ、前記容器または設備（３０，７０）の内部（３１，７１）において爆発性混合物から雲状体（６，７７）を形成するために設計されることを特徴とする、請求項１６〜１８のいずれか一項に記載の装置。
【請求項２０】
前記洗浄器具は、供給側端部（４ａ，６５）と洗浄側端部（４ｂ，６６）とを有する長手方向部品を含み、前記長手方向部品は、爆発性混合物を前記供給側端部から前記洗浄側
端部（４ａ，４ｂ；６５，６６）に供給するための供給圧管（７，７８）を含み、前記爆発性混合物のための少なくとも１つの気体成分を計量して前記洗浄器具内に入れるための少なくとも１つの計量器具（２３，７２）が、前記供給側端部（４ａ，６５）に配置されることを特徴とする、請求項１６〜１９のいずれか一項に記載の装置。
【請求項２１】
前記出口装置（５，６２，８３，１０３，１２３，１４３，１６３，１８３，２０３，２２３，２４３）は、前記供給圧管に続く洗浄側端部に配置されることを特徴とする、請求項１６〜２０のいずれか一項に記載の装置。
【請求項２２】
前記洗浄器具（６０１，６５１）は、第１の気体成分を導入するための第１の導入チャネル（６０２，６５２）と第２の気体成分を導入するための第２の導入チャネル（６０３，６５３）とを含み、前記導入チャネル（６０２，６５２；６０３，６５３）は前記供給圧管（６０６，６５６）の供給圧チャネル（６０７，６５７）に合流し、特に移行領域において断面が減少する部分が形成されていることを特徴とする、請求項１６〜２１のいずれか一項に記載の装置。
【請求項２３】
前記出口開口部（２６，６９，８５，９５）１つの断面積または前記出口開口部の総断面積は、前記供給圧管（７，８２，６７，９２）の供給圧チャネル（７８，８８，９８）１つの断面積または前記供給圧管の総断面積よりも大きいことを特徴とする、請求項１６〜２２のいずれか一項に記載の装置。
【請求項２４】
前記出口装置はディフューザ（５，６２，８３）として設計され、前記ディフューザ（５，６２，８３）は前記出口開口部（２６，６９，８４）を含むことを特徴とする、請求項１６〜２３のいずれか一項に記載の装置。
【請求項２５】
ディフューザ（５，６２，８３）は漏斗状に広がる部分を含むことを特徴とする、請求項１６〜２４のいずれか一項に記載の装置。
【請求項２６】
ディフューザは、前記供給圧管（７，８１，６７）に接続し前記出口開口部（２６，６９，８５）に向かって漏斗状である、広がった部分であることを特徴とする、請求項１６〜２５のいずれか一項に記載の装置。
【請求項２７】
ディフューザ（５，６２，８３）の開口角は４５°以下、好ましくは３０°以下、特に２０°以下であることを特徴とする、請求項１６〜２６のいずれか一項に記載の装置。
【請求項２８】
少なくとも１つの渦流要素（９４）がディフューザ（９３）または供給圧管（９２）に配置されることを特徴とする、請求項１６〜２７のいずれか一項に記載の装置。
【請求項２９】
前記出口装置（８３，１０３，１２３，１８３，２０３，２２３，２４３）は、各々が出口開口部（８５，１０５，１２５，１８５，２０５，２２５，２４５）を有する１つ以上の出口本体を含むことを特徴とする、請求項１６〜２８のいずれか一項に記載の装置。
【請求項３０】
個々の出口本体はディフューザとして設計されることを特徴とする、請求項２９に記載の装置。
【請求項３１】
前記出口装置は数個の出口本体を含み、前記出口本体は、
中心から径方向外側に向けられ、前記出口開口部は球状または半球状の出口面を定め、
平面において中心から径方向外側に向けて配置され、前記出口開口部は環状の出口面を定め、または、
中心軸に沿って径方向外側に向けられ、前記出口開口部は円筒状の出口面を形成することを特徴とする、請求項１６〜２９のいずれか一項に記載の装置。
【発明の詳細な説明】
【技術分野】
【０００１】
本発明は、容器（タンク）および設備の内部の洗浄の分野に属する。これは、容器および設備の内部の堆積物を爆発技術によって除去するための方法および洗浄装置に関する。この洗浄装置は特に本発明に従う方法を実施するために設計される。
【背景技術】
【０００２】
この方法および装置は、内壁にケーキングがある、汚れてスラグが付いた容器および設備、具体的には焼却設備の洗浄に、特に役立つ。
【０００３】
加熱面、たとえば、廃棄物焼却プラントまたは一般的には燃焼ボイラの加熱面は通常、大量の汚染物質または付着物に晒される。この付着物は、無機組成を有し、典型的には壁の上の灰粒子の堆積物が原因で発生したものである。高煙道ガス温度の領域の被膜は大抵非常に硬い。なぜなら、この被膜は、溶けた形態で、または、壁の上で溶けて、または、より低温のボイラ壁上で固化するときに物質が低温で溶融または凝縮することによりくっ付いて、壁の上に付着して残っているからである。このような被膜は、除去するのが非常に難しく、周知の洗浄方法では除去が不十分である。その結果、ボイラは定期的に稼働を停止させて冷却しなければならない。このようなボイラは通常非常に大きいので、火炉または炉の中に足場を建てなければならないことが多い。そのためには、さらに作業を数日または数週間中断することが必要であり、塵や埃が大量に発生するので洗浄作業員にとっては非常に不快であり健康に悪い。設備の稼働中断の本質的な１つの結果は、大抵の場合、大きな温度変化によって容器の材料そのものが損傷を受けることである。生産または収入の減少による設備停止コストは、洗浄および修繕コストに加えて、重要なコストの要素である。
【０００４】
たとえば設備の停止時に使用される従来の洗浄方法は、ボイラービーティング、ならびに、蒸気噴射ブラスタ、水噴射ブラスタ／煤煙ブラスタの使用、または、ショットクリーニングおよびサンドブラスティングである。
【０００５】
さらに、ある周知の洗浄方法の場合、冷却されたタンクまたは稼働中の高温タンクを、爆発物を導入しこれに点火することによって洗浄する。文献ＥＰ１０６７３４９に記載のこの方法では、冷却された爆発物を冷却されたランスによって、汚れた加熱面の近くまで運び、そこで炸薬に点火する。加熱面のケーキングは、爆発の衝撃によって、および、衝撃波により発生した壁の振動によって、吹き飛ばされる。この方法の場合、従来の洗浄方法と比較して洗浄時間を大幅に短縮することができる。必要な安全上の予防措置を講じておけば、焼却または燃焼炉の稼働中に、すなわち容器またはコンテナがまだ熱い状態で、洗浄を行なうことができる。したがって、従来の洗浄方法では数日を要する稼働中断を行なうことなく、このようにしてタンクを数時間以内で洗浄することが可能である。
【０００６】
ＥＰ１０６７３４９に記載の方法の欠点は、爆薬が必要であることである。爆発材料は高コストであることに加え、安全性に関して、たとえば事故または盗難防止のために爆薬の保管には多大な費用が必要である。加えて、高温の容器に爆発材料を導入するには、爆薬が早まって爆発しないようにするために、絶対的に信頼性があり効率的な冷却システムが必要である。
【０００７】
その他の洗浄方法がＥＰ１３６２２１３Ｂ１から知られている。これも同様に、爆発を起こすための手段を利用する。しかしながら、この方法によると、爆発物の代わりに、爆発性気体混合物で膨張させることが可能な容器外被を洗浄ランスの端部に取付ける。洗浄
ランスは、空の容器外被とともにボイラ空間に導入され、洗浄する場所の近くに配置される。次に、容器外被を爆発性気体混合物で膨張させる。爆発は、容器外被の中の気体混合物に点火することによって生じ、この爆発の衝撃波によってボイラ壁上の付着物が剥がれる。容器外被は、爆発によって粉砕されて燃焼する。これはしたがって消耗材であることを意味する。
【０００８】
この方法および関連する装置には、爆薬を用いる上述の爆発技術と比較すると、作業に関して好適な方法であるという利点がある、したがって、たとえば、酸素と可燃性ガスとを含む気体混合物の出発成分は、爆薬と比較して調達費用が安い。さらに、上記ガスは、爆薬とは異なり、調達および取扱いに特別な許可または資格が不要なので、対応する訓練を終了した者は誰でもこの方法を実行することができる。
【０００９】
さらに、出発成分が洗浄ランスの別の供給管を介して導入され、したがって危険な爆発性混合物が爆発を引起す直前まで洗浄ランス内で作られないという利点もある。爆薬と比較して、気体混合物の個々の成分の取扱いは実際、危険性が大幅に低い、なぜなら、個々の成分は、せいぜい可燃性であるだけで、爆発性ではないからである。
【００１０】
関連する方法には、容器外被の取扱いが非常に厄介であるという欠点がある。すなわち、容器外被は、洗浄処置ごとに、毎回洗浄装置の出口開口部を介して固定しなければならない。このプロセスは時間も相当にかかるので、個々の洗浄処置は比較的長い時間を要する。
【００１１】
さらに、充填処置も比較的遅い。その原因は、容器外被を、損傷を与えずに制御された状態で広げて拡張させることができるよう、爆発性混合物は、比較的低い充填速度で容器外被に入れることしかできないからである。特に爆発性混合物が高速で容器外被の中に入れられると、容器外被は一緒に引張られ、発生した真空が原因で拡張しない。さらに、容器外被の個々の層は、内側で剥離する可能性がある。
【００１２】
加えて、拡張した容器外被は、たとえばパイプの束の場合に存在するような狭い領域には挿入できない。このことは、爆発性混合物を、洗浄しようとして、爆発させようとしている狭い領域には入れられないことを意味する。これに対し、爆発性混合物はこのような領域の外側から点火することしかできず、狭いまたは制限された領域に入る爆発波の洗浄効果には結果として限界がある。
【００１３】
さらに、容器外被の形態の消費材料を再度供給することを恒久的に保証しなければならない。消費材料はさらに、他のコスト要素を意味する。このため、原則的にこの容器外被は手製でなければならず、したがってこれにも費用がかかる。
【００１４】
加えて、容器外被を使用すると残渣が生じ、これは爆発では完全に燃焼しない。この残渣により、洗浄しようとする設備の運転に支障が生じる可能性がある。
【発明の概要】
【発明が解決しようとする課題】
【００１５】
したがって、本発明の目的は、ＥＰ１３６２２１３Ｂ１に記載の洗浄装置および関連する方法を、目標とする改善もなされた洗浄効果を得ることができるように、修正することである。特に、狭い領域にも爆発性混合物を届けることができる。
【００１６】
他の目的に従うと、この方法の実現は、煩わしさがより少なく、要する時間がより短く、かつより経済的である。
【００１７】
他の目的に従うと、洗浄方法を実行するときに発生する残渣はできる限り少ないはずである。
【課題を解決するための手段】
【００１８】
これらの目的は、独立請求項１および１８の特徴によって達成される。本発明のさらに他の発展形および具体的な実施形態は、従属請求項、明細書、および図面から導き出される。よって、方法の請求項の特徴は、装置の請求項の特徴と適宜組合わせることが可能であり、その逆も可能である。
【００１９】
本発明の文脈において開示される洗浄方法は、爆発性混合物を、次に爆発させるために、洗浄しようとする場所の近傍に運ぶことに基づく。
【００２０】
爆発性混合物は、少なくとも爆発条件において気体である。
第１の変形に従うと、爆発性混合物は、洗浄装置に導入される気体成分から形成することができる。このことは、導入される気体成分が既に爆発性の気体混合物を形成していることを意味する。
【００２１】
第２の変形に従うと、爆発性混合物は、別々に洗浄装置に導入される、２つ以上、特に２つの気体成分から形成することができる。これら気体成分は、洗浄器具内の混合ゾーンにおいて混合されて爆発性の気体混合物になる。混合ゾーンは特に、供給圧管の前または供給圧管の内部に配置される。
【００２２】
気体成分は、これら成分が、収容空間内で爆発性混合物を形成するときに、特に洗浄器具に導入するときに気体の状態で存在することを意味する。しかしながら、出発成分とも呼ばれるこの気体成分は、圧力容器（タンク）内の圧力下では液体の状態で存在することもある。気体成分は特に、素早く蒸発する液体であってもよい。
【００２３】
爆発性混合物は、特に、燃料と、たとえば気体酸素または気体含有酸素等の酸化体とを含む。燃料は液体でも気体でもよい。これはたとえば、アセチレン、エチレン、メタン、エタン、プロパン、ベンゼン／石油、油等といった可燃性の炭化水素群から得られる。よって、たとえば第１の気体成分は燃料であり第２の気体成分は酸化体である。
【００２４】
爆発性混合物は、特に、洗浄器具の収容空間内で準備される。
この混合物は、特に、爆発を引起すための点火装置を介して点火される。
【００２５】
爆発の衝撃と、表面、たとえば衝撃波によって振動が生じる容器の壁またはパイプの壁が、壁のケーキングおよびスラグを吹き飛ばし、したがって、表面を洗浄する。
【００２６】
洗浄に必要な爆発の強度、したがって、爆発性混合物を生成するために与えられる気体成分の量は、付着物の種類、および、付着物が付いた容器の大きさと種類に関連する。爆発の調節および強度は、設備に損傷が生じないように、選択すればよく、好ましくは選択される。与えられる物質を最適に調整可能であるということは、一方では洗浄コストを削減し、他方では設備および人が危険に晒され損傷を受けるリスクを低下させる。
【００２７】
洗浄器具は、特に、供給管とも呼ばれる供給圧管を含み、これを介して爆発性混合物が出口開口部に導かれる。
【００２８】
供給圧管は、特に、供給チャネルとも呼ばれる閉じられた供給圧チャネルを形成する。これは、円形の断面を形成してもよく、直径が、１５０ｍｍ（ミリメートル）以下、または１００ｍｍ以下、または６０ｍｍ以下、特に５５ｍｍ以下であってもよい。この直径は
さらに、２０ｍｍ以上、３０ｍｍ以上、特に４０ｍｍ以上であってもよい。
【００２９】
供給圧管の長さは、たとえば、１ｍ（メートル）以上、または２ｍ以上、または３ｍ以上、または４ｍ以上であってもよい。
【００３０】
洗浄器具は、特に、出口開口部を含む出口装置を含む。出口装置は、特に、流出方向において供給圧管の次に配置される。
【００３１】
特に、出口装置は、供給された爆発性混合物の少なくとも一部を収容するための収容空間を形成する。特に、供給圧管および出口装置は、供給された爆発性混合物の少なくとも一部を収容するための収容空間を形成する。
【００３２】
収容空間は、特に、出口開口部を介して外側に開いている。
爆発性混合物は、たとえば収容空間内で、特に供給圧管内で爆発させる。この爆発の圧力波は、出口（流出）開口部を通して設備または容器の内部に伝搬する。
【００３３】
このような方法および関連する装置は、たとえば、例として煙道ガス洗浄設備において触媒体を除去するために、適用することができる。洗浄器具の出口開口部を通して外に出た爆発圧力波はしたがって、触媒体に作用し、付着物／堆積物を剥がす。
【００３４】
出口開口部は、たとえば爆発性混合物の点火および爆発中、外側に開いている。
出口開口部は、特に爆発性混合物の点火および爆発中、外側に開いている。出口開口部は、特に、爆発性混合物を収容空間に導入している間、外側に開いている。
【００３５】
出口開口部は、特に、爆発性混合物の導入と爆発性混合物の点火および爆発とを含む洗浄サイクル全体の間、外側に開いている。出口開口部は、特に、閉鎖不能であってもよい。
【００３６】
爆発性混合物の総体積は、少なくとも収容空間内の爆発性混合物の体積によって形成される。
【００３７】
出口開口部は、任意で、爆発性混合物を収容空間に導入する間、閉鎖してもよい。出口開口部はカバーによって閉鎖してもよい。カバーは、たとえば、装着してもよい（組付けてもよい）。カバーは可撓性であっても剛性であってもよい。カバーはプラスチック製であってもよい。カバーは板状であってもよい。カバーは、爆発性混合物の爆発によって破壊されることにより爆発圧力波が出口開口部を通って外に出る経路を解放するように、設計してもよい。爆発性混合物の総体積は、この場合、収容空間内の爆発性混合物の体積のみによって形成される。
【００３８】
本発明の他の局面に従うと、導入される爆発性混合物の少なくとも一部は、洗浄器具の出口開口部を介して容器または設備の内部に導入される。これにより、爆発性混合物の雲状体は内部に形成される。この雲状体を爆発させる。
【００３９】
この場合、爆発性混合物の総体積は、洗浄器具の収容空間内の爆発性混合物の体積と、洗浄器具の外側に形成される爆発性混合物の雲状体の体積とを含む。
【００４０】
雲状体は、特に、内部において、この雲状体の境界が、物理的手段を介してまたはたとえば容器外被等の障壁を介して周囲大気に対して定められるのではないことを特徴とする。これに対し、雲状体の端部領域は、周囲の大気と直に接している。
【００４１】
爆発性混合物の全体積に、収容空間内で、特に供給圧管内で、点火装置を介して制御された状態で点火することができる。
【００４２】
爆発性混合物の総体積が雲状体を含む場合は、これも、点火装置を介し、収容空間内の体積とともに、制御された状態で爆発させることができる。
【００４３】
点火装置の点火に有効な部品は特に洗浄器具内に配置される。点火装置の点火に有効な部品は、たとえば、供給圧管内に配置されるかまたは少なくともこれに有効に接続される。
【００４４】
場合によっては雲状体を含む爆発性混合物の総体積は、たとえば２秒以下の期間で生成される。この総体積は、１秒以下、好ましくは０．５秒以下、特に０．２秒以下、さらには０．１秒以下の期間内で好ましくは生成される。しかしながら、この総体積は、０．０３秒以下の期間で生成してもよい。０．０１〜０．２秒の期間がおそらくは最適であることがわかっている。
【００４５】
上記期間は、特に、収容空間への爆発性混合物の導入を含む。
上記期間は、特に、以下でさらに説明する、洗浄器具の供給圧管に少なくとも１つの気体成分を導入するための計量器具の、導入を終えるために計量器具を閉じるまでの、開口から計算される。
【００４６】
制御技術に関する爆発性混合物の点火および結果としての爆発は、特に、計量器具を閉鎖する時点に関して調整される。
【００４７】
点火は、特に、計量器具の閉鎖の直後に行なわれる。特に、点火の遅れは、非常に短い遅れでしかない。
【００４８】
少なくとも１つの気体成分を導入するための計量器具の開放と、爆発性混合物の点火との間の時間間隔はしたがって、具体的には同様に上記期間の範囲に含まれる。
【００４９】
最後に、この期間の下限は、技術的には特に少なくとも１つの気体成分を洗浄器具に導入するための計量器具の配置と切換能力によって決まる。
【００５０】
上記少なくとも１つの気体成分は、洗浄器具に、少なくとも１つの計量器具を介して、特に供給圧管内の爆発性混合物が爆発性混合物の総体積を形成するための衝撃波面とも呼ばれる圧力波面を形成するほどの高い速度で、導入される。
【００５１】
流出方向における圧力波面は、圧力波面の後ろにある爆発性混合物と圧力波面の前にある周囲大気との間の境界を形成する。
【００５２】
爆発性混合物は、特に、流れの方向において圧力波面の後ろで超過圧力を有する。
超過圧力は、実際の圧力と、周囲の（大気）圧との圧力差に相当する。この超過圧力は、０．５バール以上、または１バール以上、特に２バール以上であってもよい。超過圧力は、２．５バール以上でもよく、さらに３バール以上であってもよい。
【００５３】
爆発性混合物の点火は、特に、上記超過圧力条件になるように行なわれる。
爆発性混合物はまた、周囲の条件に対して高密度であることによっても特徴付けられる。なぜなら、圧力波面の後ろで超過圧力を有するからである。その原因は、圧力容器から導入される圧縮ガスは、点火の時点では洗浄器具内で完全には緩和されていないが、依然として超過圧力でありしたがって圧縮されていることにある。
【００５４】
このことは、本発明に従う条件下では、従来の開いた洗浄システムの場合よりも、単位体積当たりより多くの量の爆発性混合物が洗浄器具に導入されることを意味する。従来の開いた洗浄システムでは、気体の導入の速度が比較的遅く、気体は、爆発性混合物の形成時、少なくとも点火の時点では、周囲圧力まで弛緩している。
【００５５】
超過圧力下で、したがって高密度で気体成分を導入することにより、非常に短時間で大量の爆発性混合物を与えることができる。このことは、本発明に従う方法によって大量の流れを洗浄器具内に導入することおよびその点火を非常に短時間で行なうことができることを意味する。
【００５６】
爆発性混合物が体積が同一で密度がより高い場合、その爆発力はそれに応じて大きい。なぜなら、爆発力は、利用できる爆発性混合物の量によって決まるからである。
【００５７】
圧力波面は、特に、流れの方向においてその前にある周囲空気を押す。圧力波面は、特に、周囲空気を出口開口部を介して洗浄器具の外に出す。特に、爆発性混合物と周囲空気の、供給圧チャネル内または出口装置内における混合は、発生しないか発生しても最小に留まる。
【００５８】
爆発性混合物およびその圧力波面は、出力開口部まで、速度１００ｍ／ｓ以上、特に２００ｍ／ｓ以上で移動するまたは流れることができる。
【００５９】
出口開口部の方向に移動する爆発圧力波は、供給圧管内の爆発性混合物の点火によって作られる。爆発圧力波は非常に早い速度で伝搬する。これは特に、音速を超えており、たとえば３０００ｍ／ｓの領域に含まれる。
【００６０】
爆発の圧力は、毎回、爆発前の爆発性混合物の圧力の倍数である。爆発の圧力はたとえば初期圧力の２５倍であってもよい。爆発性混合物が超過圧力を有している場合、爆発の圧力も対応する倍数分増大する。
【００６１】
爆発性混合物の圧力がたとえば１バール（大気圧）の場合、爆発の圧力は、２５倍の約２５バールに相当する。しかしながら、爆発性混合物の圧力が２バール（超過圧力領域、より高密度）であれば、爆発の圧力も２５倍の約５０バールである。したがって、爆発の圧力ひいては洗浄効果は、点火させようとしている爆発性混合物が洗浄器具内で超過圧力を有する場合、遥かに大きなものになる。
【００６２】
本発明のある側面に従うと、爆発性混合物は、圧力波面がまだ供給圧管内にあるときに点火される。本発明のある局面に従うと、爆発性混合物は、圧力波面がまだ出口装置内にあるときに点火される。
【００６３】
本発明のある局面に従うと、爆発性混合物の雲状体は、点火の時点ではまだ形成されていないかまたは完全には形成されていない。したがって、雲状体は、たとえば、爆発性混合物の点火の前は、形成されないまたは完全に形成されないことがある。このため、爆発性混合物を、出口開口部から、爆発性雲状体の形成の最中に、出口開口部の方向において供給圧管内で伝搬する爆発圧力波により、外に出し、直接爆発させることができる。
【００６４】
爆発サイクルは、燃焼機関と同様、異なる工程に分割することができる。第１工程では、供給圧管への計量器具が開放され、少なくとも１つの気体成分が、たとえば少なくとも１つの圧力容器（圧力タンク）から、圧力をかけて、洗浄器具内に導入され、爆発性の気体混合物として、供給圧管を介し出口装置まで送られる。場合によっては、出口装置を介
して出口開口部の外側で雲状体が形成される。
【００６５】
少なくとも１つの計量器具は、規定量の気体成分の導入後に閉鎖される。点火がこれに続いて行なわれ、形成された爆発性混合物の総体積が爆発させられる。爆発に続いて、上記少なくとも１つの計量器具を再び開放することにり、気体の爆発性混合物を収容空間内で新たに生成することができる。
【００６６】
爆発性混合物の全体積が非常に短時間で生成される場合は、本発明に従う方法によって、パルス状の爆発を生じさせることもできる。このことは、たとえば、爆発性混合物の適切な総体積を複数生成しそれぞれを短い時間間隔で連続的に爆発させることを意味する。
【００６７】
たとえば１以上の爆発を１秒で生じさせることができる。したがって２〜１０の爆発を１秒以内に生じさせることが可能である。さらに、パルス状の爆発は、洗浄プロセスを支援する、設備または容器の振動を引起すことができる。
【００６８】
パルス状の爆発を生じさせる方法にも、各々が雲状体を含む、爆発性混合物の総体積数個分を、連続的に短時間で生成できるという利点がある。これら雲状体の体積の大きさを、個々の雲状体をより長い期間で生成する場合よりも、小さくすることができる。パルス状爆発の雲状体の体積は、たとえば１〜５リットルであってもよい。より大きな雲状体も可能である。
【００６９】
エッジゾーンにおける混合を原因とする損失は、特に周囲大気における流量が大きい場合、雲状体が小さいほど小さいので、雲状体の大きさが小さくても、比較的大きな爆発力が得られる。高温での自己点火のリスクも、雲状体がより小さくその形成時間が短い場合は大幅に低下する。より小さな雲状体を生じさせる場合にはさらに、洗浄器具をより小さく設計できるという利点がある。
【００７０】
供給圧管内で爆発性混合物が形成されると、それに伴って、供給圧管の端部における洗浄器具の出口開口部の出口で爆発性混合物から雲状体が形成される。
【００７１】
この時間が短いほど、混合物の点火時に、雲状体が容器または設備内部で周囲大気と相互に混合する程度は低い。
【００７２】
さらに、驚くべきことに、この相互の混合を妨げる、比較的大きな密度差が、たとえば高温の煙道ガス（２００℃〜１０００℃）からなる周囲大気と爆発性混合物との間に存在することが見出された。
【００７３】
しかしながら、出口開口部から出た爆発性混合物と周囲の大気との相互混合の程度は、雲状体の形成とそれに続く点火に要する時間によって決まるだけではない。むしろ、少なくとも供給圧管に接続し少なくとも１つの出口開口を形成する出口装置の形状も、決定的な要素である。
【００７４】
具体的には、供給圧管が突然終わると、そこから出た爆発性混合物が渦流になり、結果として薄くなることがわかっている。このため、周囲の大気、たとえば煙道ガスは、特に、爆発性混合物が高速で供給圧管から出る、出口開口部の領域で、吸入される。その結果、混合物が薄まり爆発限界を下回ることになる。混合物は、渦が形成されるために、内部におけるまたは容器もしくは設備内における周囲大気との混合の過程で希釈される。
【００７５】
しかしながら、爆発性混合物が薄まると、爆発能力は失われる。このようにして薄まった混合物はせいぜい燃焼するだけであるか、または、熱が大量にあっても容器または設備
内では全く何も起こらない。
【００７６】
爆発性混合物が供給圧管から出るときの出口速度が高いほど、渦流効果は大きい。容器または設備の内部で爆発性混合物から雲状体を生成するとき、この雲状体をできる限り迅速に生成し点火することはまさに重要である。具体的には、このような雲状体の生成および点火が素早いほど、すなわち、相互混合過程のために雲状体が薄まる程度が低いほど、雲状体を点火までより十分に保つことができる。このようにして、混合物の爆発能力が保持される。
【００７７】
しかしながら、このような雲状体をできる限り急速に生成しようとすると、実際、供給圧管から爆発性混合物が出る速度が速くなければならない。しかしながら、このようにすると、上記のように、供給圧管の出口の渦流により、形成される雲状体が周囲大気と相互に混合される程度が高くなる。
【００７８】
この問題は、今まで常に容器外被内で保護された状態で混合物が容器または設備内部に導入されてきた理由でもある。
【００７９】
本発明に従う洗浄器具は、供給圧管と、供給圧管の端部に配置され少なくとも１つの出口開口部を有する出口装置とを含む。
【００８０】
供給圧管および出口装置は、たとえば、導入された爆発性混合物の少なくとも一部を収容するための収容空間を形成する。収容空間は、たとえば少なくとも１つの出口開口部を介して外側に開いている。
【００８１】
洗浄器具および特にその出口装置は、たとえば、爆発性混合物を、容器または設備の内部に導入するため、かつ、容器または設備の内部で爆発性混合物から雲状体を形成するために、設計される。
【００８２】
少なくとも１つの出口開口部の断面積は、好ましくは少なくとも１つの供給圧管の供給圧チャネルの断面積よりも大きい。
【００８３】
出口装置はまた、数個の出口開口部を含み得る。さらに、数本の供給圧管が出口装置につながっていてもよい。出口装置は、特に、上記１つまたは複数の出口開口部を形成する１つまたは複数の出口本体を含む。
【００８４】
出口本体は、出口開口部から流れ出る爆発性混合物のための流路を形成する部分である。出口開口部は、洗浄器具から容器または設備の内部に移行する部分を示し、外に出た爆発性混合物は、この移行部では洗浄器具の内部を通っていない。
【００８５】
出口本体またはその流路は、爆発性混合物の収容空間の一部である。
出口本体には、爆発性混合物を、共通する供給圧管または別の供給圧管によって、供給してもよい。したがって、出口装置は、１つ以上の供給圧管に接続してもよい。出口装置はまた、爆発性混合物を個々の出口本体に導く管路分岐部を含み得る。
【００８６】
さらに、供給圧管は多岐管または分配空間につながっていてもよい。この多岐管または分配空間から、爆発性混合物は、開口部（通路）を介して個々の出口本体に供給される。分配空間は、たとえば、球状または半球状であってもよい。１つ以上の流れ案内要素が分配空間内に配置されてもよい。このような流れ案内要素は、たとえば衝撃ビードとして設計してもよい。
【００８７】
これらの場合、出口開口部の総断面積は、好ましくは１つの供給圧チャネルの断面積よりも大きく、または、複数の供給圧チャネルの総断面積よりも大きい。
【００８８】
分配空間内の複数の開口部の総断面積の範囲は、１つの供給圧チャネルの断面積または複数の供給圧チャネルの総断面積よりもわずかに大きいものからそれよりもわずかに小さいものまでであってもよい。
【００８９】
出口開口部を含む出口装置または出口本体は、好ましくはディフューザとして設計される。ディフューザは同時に爆発性混合物のための収容空間の一部を形成する。
【００９０】
出口装置が数個の出口本体を含む場合、これらもまた円筒形状であってもよくまたは別の幾何学的形状であってもよい。
【００９１】
出口装置またはその出口本体は、供給圧管の端部として設計してもよい。
ディフューザは、気体の流れの速度を低下させる部品である。これは、供給圧管から出る部分が出口開口部に向かって増大している断面拡大部によって特徴付けられる。この断面の増大は好ましくは連続的な増大である。原則的にディフューザはノズルの逆のものを表わす。
【００９２】
具体的には、驚くべきことに、供給圧管の端部をディフューザとして、または、出口装置の出口本体をディフューザとして設計することにより、爆発性混合物から爆発性雲状体を、この雲状体を容器外被によって保護しなくても、容器または設備の内部で形成することができることが見出された。
【００９３】
このディフューザによって、導入速度は、供給圧管内の高い値から、少なくとも１つの出口開口部の領域内のより低い値まで変えられる。出口開口部の直後での渦の形成したがって混合物と周囲大気との相互混合は、出口開口部に向かう爆発性混合物の速度を下げることによって、防止されるかまたは少なくとも相当減じられる。
【００９４】
特に出口開口部の直前で流れの速度を低下させるので、爆発性混合物は、それにもかかわらず、比較的速い速度で高圧の下、供給圧管を介して出口装置に導かれる。これにより、たとえば、雲状体を内部で素早く形成することができる。同じ効果によって、収容空間を爆発性混合物で素早く満たすことができる。
【００９５】
さらに、供給圧チャネルからディフューザに入る爆発性混合物の気体成分は、断面が増しているので膨張する。爆発性混合物の冷却はこのようにして行なわれる。この冷却効果は、雲状体の形成にも好都合である。なぜなら、内部を構成する、形成中の雲状体の温度は、自己点火温度よりも大幅に低いからである。容器のまたは設備の内部の周囲大気が熱いために生じる雲状体の自己点火または点火の危険性は、このようにして減じられるまたは不可能にされる。
【００９６】
具体的には、驚くべきことに、本発明に従う方法によって生成される爆発性混合物の雲状体は、焼却設備の内部において、周囲の温度が自己点火温度を遥かに上回っていても点火しないことが見出された。これは、先に述べたように、一方では、雲状体は容器外被の充填と比較すると非常に短時間で形成され爆発させられるので内部のこの雲状体は自己点火温度を超えるまで高温になることはないからであり、他方では、雲状体は周囲大気と相互混合されないからである。
【００９７】
雲状体は、高温の周囲によって自己点火温度まで加熱される前に、洗浄器具を介して制御された状態で点火される。
【００９８】
ディフューザは、特に、漏斗状に広がる部分を含む、または、漏斗状に広がる部分からなる。このディフューザは、特に金属からなる。これは、シート鋼／鋼板等のシート金属／金属板から製造することができる。
【００９９】
漏斗状ディフューザは、たとえば、例としてその長手方向軸に向かって折畳むことができるように設計してもよい。このようにして、洗浄器具の出口装置を細い開口部を通して内部に送り、畳まれていたものをそこで広げてもよい。出口装置を内部から再び引出すためには、漏斗状のディフューザを再び長手方向軸に向かって折畳む。
【０１００】
特に供給圧チャネルから出る流れの断面は、このディフューザがあるので、出口開口部に向かって連続的に増大する。
【０１０１】
出口開口部に向かう供給圧管は、たとえば、漏斗状に広がる部分に合流する。この移行はたとえば連続的である。
【０１０２】
供給圧チャネルの断面は一定であってもよい。供給圧チャネルの断面は、出口装置に向かて増大していてもよい。断面の増大は連続的であってもよい。
【０１０３】
特に、混合ゾーン、具体的には内部のパイプの端部の領域および／またはそれに続く領域における規定された部分の断面の増大も考えられる。この断面の増大は末広がりであってもよい。
【０１０４】
ディフューザの開口（円錐）角度は、好ましくは４５°(角度の度）以下、好ましくは
３０°以下、または、特に２０°以下である。上記開口角度は、特に、１５°以下または１０°以下であってもよい。開口角度は、供給圧管の長手方向軸と、漏斗状に広がる部分の開口軸との間の角度に相当する。開口軸は、出口開口部の高さにおける、長手方向軸の方向において最も外側にある漏斗状に広がる部分の一点を、供給圧チャネルが漏斗状に広がる部分の内部に向かって開いている部分の、供給圧チャネルの一点とを、接続している。
【０１０５】
本発明の好ましい発展形に従うと、出口開口部の最大直径に対するディフューザの長さの比率は、２：１以上、好ましくは３：１、特に少なくとも５：１以上である。ディフューザの長さは長手方向軸に沿って測定される。
【０１０６】
本発明の好ましい他の発展形に従うと、供給圧管の内径に対する出口開口部の最大直径の比率は、３：１以上であり、特に５：１以上である。
【０１０７】
本発明の特別な他の発展形に従うと、漏斗状に広がる部分は、少なくとも基部は指数関数的漏斗に相当する。指数関数的漏斗の断面積は、好ましくは以下の指数関数によって説明される。
【０１０８】
Ａ（ｘ）＝Ａｈ・ｅｋｘ
Ａｈはこれにより漏斗の首部の断面積であり、ｋは漏斗の定数、すなわち漏斗の開度であり、Ａ（ｘ）は漏斗の首部まで距離ｘの場所の部分の断面積である。
【０１０９】
本発明のさらに他の発展形に従うと、渦流要素がディフューザに配置される。渦流要素は、混合物が出る前にディフューザ内部で流速をさらに低下させる役割を果たす。
【０１１０】
出口装置は、爆発性混合物から数個のまたは１つの共通する雲状体を形成するために設
計してもよい。
【０１１１】
複数の出口本体の出口開口部は、異なる空間方向に整列させてもよい。
少なくとも１つの雲状体を形成するために、出口本体のさまざまな配置の変形が可能である。よって、たとえばそれぞれの出口開口部を有する出口本体は、中心または中心軸から径方向外側に向けて整列させてもよい。出口本体は特に、中心から、異なる空間方向において径方向外側に向けて整列させまたは方向付けてもよい。これらの異なる空間方向は、二次元、すなわち平面にあっても、三次元にあってもよい。
【０１１２】
このように、出口本体は、
中心から径方向外側に向けられてもよく、出口開口部は球状または半球状の外面を定め、
平面においてすなわちたとえば円板状に、中心から径方向外側に向けて配置されてもよく、出口開口部は環状の外面を定め、または、
中心軸から径方向外側に向けられてもよく、出口開口部は円筒状の外面を定める。
【０１１３】
出口開口部はこれにより常に径方向外側に向いている。
上記出口装置はすべて、概要説明において述べたように、特に図１および図２に示されるように、洗浄ランスの洗浄側端部に配置してもよい。
【０１１４】
このため、たとえば、出口装置に導かれた爆発性混合物を、数個のこのような出口本体を介して容器のまたは設備の内部まで導くことができ、そこでこの爆発性混合物は共通するまたは数個の隣合う雲状体を形成する。
【０１１５】
出口装置のある具体的な実施形態に従うと、これは、気体の流れが長手方向から側方に９０°偏向するように設計される。少なくとも１つの出口開口部はこれにより側方に向けられる。出口装置は特に、２つの出口開口部が側方に向けられたＴ字形である。この実施形態に従うと、気体の流れはこの出口装置の中で分割され側方にそれぞれ９０°偏向される。
【０１１６】
爆発物の総体積を生成するために、少なくとも１つの気体成分が少なくとも１つの圧力容器から少なくとも１つの計量器具を介して洗浄器具内に超過圧力で導入される。１つまたは複数の圧力容器内の圧力を測定するための圧力センサを上記１つまたは複数の圧力容器に設けてもよい。
【０１１７】
よって、第１および第２の気体成分をそれぞれ別々に、各々少なくとも１つの圧力容器から、各々少なくとも１つの計量器具を介して、洗浄器具内に導いてもよい。数種の気体成分は特に、相互の化学量論比で洗浄装置内に導かれる。
【０１１８】
少なくとも１つの計量器具は、少なくとも１つの気体成分の計量された量をまたは一回分の量を洗浄器具内に導入する役割を果たす。計量器具は具体的にはバルブである。バルブは電磁弁であってもよい。
【０１１９】
少なくとも１つの気体成分は、洗浄器具上の少なくとも１つの導入チャネルを介して直接または間接的に供給圧管に導入してもよい。
【０１２０】
圧力容器は、導入の開始時に、たとえば、１０バール以上、特に２０バール以上等の数バールの最大圧力を有し得る。よって圧力として２０〜４０バールを与えてもよい。これにより、気体成分を、洗浄器具に、高圧したがって高速で導入することができる。
【０１２１】
よって、少なくとも１つの気体成分は、５０ｍ／ｓ（１秒当たりのメートル）を上回る、特に１００ｍ／ｓを超える、好都合には２００ｍ／ｓを超える平均速度で、導入することができる。平均速度は、たとえば２００〜３４０ｍ／ｓであってもよい。音速を超えないことが好ましい。
【０１２２】
圧力容器は各々完全に空になるすなわち雰囲気圧力になることはないと考えることができる。よって、残留圧力は特に超過圧力を有する。残留圧力は、５バール以上、特に１０バール以上、たとえば１０〜１５バールであってもよい。残留圧力が高いので導入時の高い速度が得られる。
【０１２３】
少なくとも１つの気体成分の導入は、差圧の原理に従って行なうことができる。差圧法は、圧力容器内の残留圧力が、気体成分導入の完了後、超過圧力領域内にあることを特徴とする。
【０１２４】
超過圧力に関し、圧力容器内の圧力と雰囲気圧との差の結果としてこの圧力値が生じる。雰囲気圧は具体的には圧力容器外部の圧力である。雰囲気圧はたとえば大気圧である。このことは、たとえば、１つまたは複数の圧力容器が空になり雰囲気圧まで下がることはないことを意味する。
【０１２５】
導入する気体成分の量の制御は、圧力容器内の圧力の検出を介して行なってもよく、これら成分は、たとえば、２つ以上の気体成分の場合化学量論比でなければならない。よって、対応する公称残留圧力または差圧は、導入工程の始めにおける既知の最大圧力を想定して、導入する気体成分の量から求めることができる。計量器具は、圧力センサによって公称残留圧力が測定されるまでの間制御装置を介して開かれている。圧力センサはしたがって制御装置に接続される。
【０１２６】
たとえば２つ以上の気体成分の場合は化学量論比でなければならない、導入する量の制御は、特に、計量器具の開放時間を通して、したがって時間で制御して、行なってもよい。
【０１２７】
よって、計量器具を通る気体の速度は、導入工程の始めにおける既知の最大圧力を想定して、数値的にまたは経験的に求めることができる。求めたものから、開放時間と導入する気体成分との直接的な関係を導き出すことができる。計量器具の予め規定された解放時間は制御装置を介して制御される。
【０１２８】
たとえばホースの形態の供給管は、計量器具に、この少なくとも１つの計量器具の供給側において、接続してもよい。供給管は、圧力容器から出た気体成分の供給のために設けてもよい。
【０１２９】
供給管は、気体成分の圧力容器の一部であってもよく、または、この圧力容器を形成していてもよい。この場合の気体成分は供給管の圧力を受けている。圧力は、上記特定された値を有し得る。
【０１３０】
酸素および可燃性ガスのための供給管は、上記ガスの種類に応じて、ガスの１つの圧力容器の一部として設計してもよく、ガスの複数の圧力容器として設計してもよい。
【０１３１】
１種または数種類またはすべての気体成分をそれぞれ、１つ以上の計量器具を介して洗浄器具に導入してもよい。気体成分を数個の計量器具を介して洗浄器具に導入する場合、これら計量器具を共通のまたは異なる圧力容器に接続してもよい。
【０１３２】
１つの気体成分当たりの計量器具の数も、洗浄器具に導入される気体成分の化学量論比に従って決定してもよい。
【０１３３】
さらに、計量器具それぞれの流れ断面の相互の比率は、化学量論比であってもよい。
導入チャネルそれぞれの流れ断面の相互の比率も、化学量論比であってもよい。
【０１３４】
非戻し弁等の非戻し（チェック）要素を、流れの方向において計量器具の下流側に配置してもよい。これら要素は計量器具を逆流から保護する。ブローバックはたとえば爆発性混合物の点火によって生じ得る。また、非戻し要素はさらに、圧力容器間における気体成分の交換を防止する。非戻し要素は特に、流れの方向において供給圧管の前に配置される。
【０１３５】
窒素等の不活性ガスを供給するための装置を、同じ場所に、非戻し要素の代わりに配置してもよい。導入された不活性ガスは、一種の緩衝域を形成し、爆発の高温の気体による計量器具の加熱を防止する。一方、導入された不活性ガスは、ガス障壁を形成し、計量器具間における気体成分の交換を防止する。
【０１３６】
洗浄装置はさらに、好ましくは点火装置を含む。爆発性混合物は、好ましくは供給圧管内でまたは出口装置内で、点火装置によって点火される。その結果、起こされた爆発は、洗浄器具から、ディフューザの外側の爆発性混合物の雲状体および出口装置の収容空間内の爆発性混合物に伝達される。
【０１３７】
爆発性混合物の点火は、技術の現状から周知の手段によって行なわれる。これは好ましくは、電気的に引起された火花点火により、補助的な火炎により、または適切に装着された点火手段および点火装置の支援を受けて花火技術による点火によって、行なわれる。
【０１３８】
点火装置は特に、電気的点火装置である。これは、点火火花または特に電気アークを点火のために形成することを特徴とする。
【０１３９】
洗浄装置は特に制御装置を含む。制御装置はとりわけ点火装置の制御に役立つ。制御装置はさらに、具体的には洗浄器具に気体成分を導入するための計量器具の制御に役立つ。制御装置はしたがって、爆発性混合物の生成、特に雲状体の形成に役立つ。計量器具の制御および点火装置の制御は特に、制御技術に関して連係して行なわれる。
【０１４０】
制御装置は特に、上記時間以内に計量器具を開閉するように設計される。
本発明に従う方法を実行するための洗浄器具は、特に、洗浄ランス等の長手方向部品であってもよい。このような洗浄ランスは、たとえばＥＰ１３６２２１３Ｂ１に記載されている。そこに記載されている特徴および実施形態の変形の多くはしたがって、供給管および冷却管または供給装置の構造に関し本願に与えることができる。
【０１４１】
長手方向部品はたとえば筒状装置として設計される。
洗浄器具、特に長手方向部品は、特に供給側端部および洗浄側端部を含み、出口開口部は洗浄側端部に配置される。特に出口装置も洗浄側端部に配置される。
【０１４２】
供給側端部について、少なくとも１つの気体成分が洗浄器具に導入される部分がこの端部である。場合によっては、ユーザ側端部という表現も有効である。なぜなら、この端部は原則としてユーザに対向するまたはユーザの方を向いているからである。供給側端部はグリップ部を形成してもよく、ユーザはグリップ部を介して洗浄器具を掴むことができる。
【０１４３】
洗浄側端部について、洗浄しようとする場所の方向を向いているのがこの端部である。
供給側端部は、たとえば、その内部で爆発性混合物が利用可能にされる計量装置を含む。気体成分または混合物を導入するための上記計量器具はこの計量装置に配置される。
【０１４４】
洗浄側端部は出口開口部、特に出口装置を含む。供給圧管は、計量装置と出口開口部または出口装置との間に配置される。これは供給圧管として設計してもよい。
【０１４５】
長手方向部品または洗浄ランスの長さは１〜数メートル、たとえば４〜１０ｍであってもよい。
【０１４６】
洗浄ランスはさらに、爆発性混合物を受けるための少なくとも１つの供給圧管を含む。この少なくとも１つの供給圧管は好ましくは長手方向部品の構造と一体化される。長手方向部品は、そのために筒状に設計してもよい。１つ以上の供給圧管は、長手方向部品の外部または内部における別々の導管として設計してもよく、たとえば長手方向部品に沿って延びていてもよい。
【０１４７】
たとえば酸素と可燃性ガスの供給のための計量器具は、長手方向部品上、特に長手方向部品の供給側端部上に配置される。
【０１４８】
計量器具は特に、これら計量器具が気体成分を間接的または直接的に長手方向部品の１つの供給圧管または複数の供給圧管に導入するように、配置される。気体成分は、長手方向部品内、たとえば混合ゾーン内で相互に混合される。
【０１４９】
数個の計量器具を爆発性混合物に対して設けるまたは計量器具各々を１つの気体成分に対して設ける場合、これらは計量器具は、たとえば長手方向部品の長手方向において連続して配置してもよい。各々が１つの気体成分に対して設けられる数個の計量器具は、長手方向を横断する方向において関連する導入チャネルの周囲に沿い配置してもよい。
【０１５０】
長手方向部品は、外側パイプとも呼ばれるガスリードパイプを含む。ガスリードパイプはたとえば供給圧チャネルとともに供給圧管を形成する。内側パイプがガスリードパイプの供給側端部に配置されてもよい。内側パイプは第１の気体成分のための第１の導入チャネルを形成する。第２の気体成分のための第２の環状の導入チャネルはガスリードパイプと内側パイプとの間に形成される。これら２つのパイプおよびしたがって導入チャネルは互いに同心で配置してもよい。
【０１５１】
内側パイプの終端は、ガスリードパイプが内側パイプの端部で供給圧管内に合流するように、ガスリードパイプ内部にあってもよい。
【０１５２】
第１の気体成分、特に可燃性ガスは少なくとも１つの第１の計量器具を介して第１の導入チャネルに導入される。第２の気体成分、特に酸素含有ガスは、少なくとも１つの第２の計量器具を介して第２の導入チャネルに導入される。２つの気体成分が混ざり合う混合ゾーンは、内側パイプの端部に続くように形成され、第１の気体成分は内側パイプから出て接続する供給圧チャネルに入る。
【０１５３】
その結果としての気体成分は、導入チャネル双方に接続する供給圧管の供給圧チャネルを通して、爆発性混合物として洗浄側端部に導かれる。供給圧チャネルまたは供給圧管は外側パイプ（管）によって形成される。
【０１５４】
供給装置は、計量器具の供給側に設けられる。供給装置は洗浄器具に各気体成分を供給する。供給装置はたとえば、その内部で気体成分または爆発性混合物が圧力を加えた状態
で収容される１つ以上の圧力容器を含む。
【０１５５】
よって、計量器具は、たとえばホースの形態の供給管に接続し得る。供給管は圧力容器に接続し得る。計量器具は直接それぞれの圧力容器に接続されてもよい。
【０１５６】
具体的なある実施形態に従うと、内側のパイプの端部の領域に断面が狭くなった部分が設けられる。この狭くなった部分は、第１の環状の導入チャネルの断面が内側のパイプの端部に向かって狭くなる、たとえば円錐形状に狭くなるという性質のものであってもよい。特に、この断面は収束していてもよい。
【０１５７】
この狭くなった部分はさらに、内側パイプの端部に続いて、接続する供給圧チャネルの断面が供給方向にたとえば円錐状に増大する部分であってもよい。この断面は末広がりであってもよい。
【０１５８】
内側パイプの端部は、断面が供給方向に増大する領域にあってもよい。供給方向において、最も狭い場所は、内側パイプの後ろにあってもよい。
【０１５９】
特にこの断面の変化の幾何学的設計は、洗浄器具が内側のパイプの端部領域でラバル管を形成し気体成分が導入チャネルに適切に導入されるような性質のものであってもよい。
【０１６０】
気体成分が導入チャネルに導入された後の導入チャネルへの気体成分の流れの方向は特に、長手方向部品の長手方向である。供給圧管内の気体混合物の流れの方向は特に、長手方向部品の長手方向である。
【０１６１】
点火のためおよび爆発を引起すための点火装置は、たとえばこれも長手方向部品に設けられる。
【０１６２】
洗浄装置および特に関連する洗浄器具はまた、容器上または設備上の、特に壁上の固定設備として設計してもよい。なぜなら、この洗浄装置の作業には容器外被等の消費材料が不要であるからである。このような固定設備の出口装置はしたがって、好ましくは容器または設備の内部に配置される。しかしながら、出口装置の少なくとも１つの出口開口部を、容器または設備の壁の中に配置する、またはこれと一体化することも考えられる。
【発明の効果】
【０１６３】
固定設備として設計される本発明に従う洗浄装置は、設備自体の運営会社によって運営でき洗浄のためにサービスチームを招集する必要がないという利点を有する。これによって多大なコストを削減できる。さらに、洗浄をより頻繁に実施することができ、このことは、汚れの程度、したがって個々の洗浄プロセスの手間を、妥当な範囲の中に留めることができることを意味する。
【０１６４】
以下、本発明の主題を、添付の図面に示される好ましい実施形態の例を用いてより詳細に説明する。各図面には以下の図が概略的に示される。
【図面の簡単な説明】
【０１６５】
【図１】出口装置を有する、本発明に従う洗浄装置の第１の実施形態の例を示す。
【図２】出口装置を有する、本発明に従う洗浄装置の第２の実施形態の例を示す。
【図３】出口装置の他の実施形態の例を示す。
【図４】出口装置の他の実施形態の例を示す。
【図５】出口装置の他の実施形態の例を示す。
【図６】出口装置の他の実施形態の例を示す。
【図７】図５に従う出口装置の一局面を概略的に示す。
【図８ａ】出口装置の他の実施形態の例を示す。
【図８ｂ】出口装置の他の実施形態の例を示す。
【図９ａ】出口装置の他の実施形態の例を示す。
【図９ｂ】出口装置の他の実施形態の例を示す。
【図１０】出口装置の他の実施形態の例を示す。
【図１１】出口装置の他の実施形態の例を示す。
【図１２ａ】出口装置の他の実施形態の例を示す。
【図１２ｂ】出口装置の他の実施形態の例を示す。
【図１２ｃ】出口装置の他の実施形態の例を示す。
【図１３】出口装置の他の実施形態の例を示す。
【図１４】本発明に従う出口装置の供給溶液を概略的に示す。
【図１５】本発明に従う出口装置の他の供給溶液を概略的に示す。
【図１６】本発明に従う出口装置の他の供給溶液を概略的に示す。
【図１７ａ】出口装置の他の実施形態の例の断面図である。
【図１７ｂ】図１７ａに従う出口装置の正面図である。
【図１８】洗浄器具の混合ゾーンの具体的な実施形態を示す。
【図１９ａ】洗浄装置の他の実施形態を示す。
【図１９ｂ】図１９ａの断面Ａ−Ａに沿う断面図である。
【発明を実施するための形態】
【０１６６】
基本的に、図面における同一の部品には同一の参照番号が付されている。
本発明を理解し易くするために、いくつかの特徴は図面に示されていない。記載されている実施形態の例は、本発明の主題に関して代表的なものであり、限定する効果はない。
【０１６７】
本発明に従う洗浄方法を実行するための本発明に従う洗浄装置１の第１の実施形態の例が、図１に示される。洗浄装置１は冷却可能な洗浄ランス２を含む。洗浄ランス２は、外側の包囲パイプ８と、外側の包囲パイプ８内に配置されとりわけ供給圧管を形成する内側のガスリードパイプ７とを含む。外側の包囲パイプ８は、内側のガスリードパイプ７を包んでおり、それによって環状の冷却チャネルを形成する。内側のガスリードパイプ７はとりわけ閉じられた供給圧チャネルを形成する。
【０１６８】
洗浄ランス２は、その供給側端部４ａにおいて、爆発性気体混合物を形成するための気体成分を供給するための接続部を有する計量装置を含む。
【０１６９】
漏斗状に成形されたディフューザ５の形態の出口装置が、洗浄側端部４ｂで内側のガスリードパイプ７に接続されている。
【０１７０】
洗浄ランス２には、爆発性混合物を生成するための気体成分が充填装置３を介して供給される。洗浄ランス２はさらに、制御装置１７を介して制御される。制御装置１７は特に、供給圧管への気体成分の供給の制御および爆発性混合物の点火の制御に役立つ。
【０１７１】
冷却は、恒久的な冷却であってもよく、または、手動で制御される冷却であってもよい。しかしながら、制御装置１７を介した冷却の制御も可能である。
【０１７２】
爆発性混合物の生成のための気体成分の供給は、内側のガスリードパイプ７に直接または間接的に接続された２つの気体供給管１０、１１を介して行なわれる。
【０１７３】
第１の気体供給管１０は第１のバルブ２３を介して圧力容器２２に接続され、この圧力容器は第２のバルブ１５を介して市販の第１のガスボトル２０、たとえば酸素ボトルに接
続される。非戻りバルブ３９は、第１のバルブ２３と、気体供給管１０が内側のガスリードパイプ７内に合流する部分との間に配置される。
【０１７４】
第２の気体供給管１１も同様に、第１のバルブ２５を介して第２の圧力容器２４に接続される。これは、第２のバルブ１６を介して市販の第２のガスボトル２１に接続される。第２のガスボトル２１はしたがって、たとえばアセチレン、エチレン、またはエタンである可燃性ガスを収容している。非戻りバルブ３９も同様に、第１のバルブ２５と、気体供給管１１が内側のガスリードパイプ７内に合流する部分との間に配置される。
【０１７５】
圧力容器２２、２４には、ガスボトル２０、２１に代えて別のやり方で爆発性混合物を生成するための気体成分がそれぞれ供給されてもよい。
【０１７６】
圧力容器２２、２４は、第２のバルブ１５、１６の開放後にそれぞれの気体で充填される。圧力容器の容積は、たとえば、エタン３．７リットル、酸素１２．５リットルという化学量論比、またはその倍数の化学量論比の値であってもよい。たとえば充填圧力２０バールが体積約１１０リットルの雲状体６を生成するために加えられ、充填圧力４０バールが体積約２２０リットルの雲状体６を生成するために加えられる。当然、互いに異なる充填圧力の代わりに、均一でより高い充填圧力を加えてもよく、圧力容器は、より小さな容器を充填するために必要な気体の量しか提供しないので、完全に空になることはない。言い換えると、ここで化学量論比で気体成分を与えることは、差圧の原理に従って行なわれている。
【０１７７】
さらに、圧力容器２２、２４内の圧力を、ガスボトル２０、２１内の圧力から独立してまたは別のやり方で圧力容器２２、２４内に供給される気体の圧力から独立して設定できる手段も設けてもよい。このため、ガスボトル２０、２１内のより高い圧力を、圧力容器２２、２４内で生じさせることができる。
【０１７８】
こういった手段はたとえば圧縮機を含み得る。圧力容器内の圧力を、さらに、たとえば窒素等の他のガスを介し圧搾空気によって生成してもよく、または液圧によって生成してもよく、この場合の気体成分は圧力容器内の移動するピストンを介して所望の圧力にされる。
【０１７９】
したがって、ガスボトル２０、２１内の圧力から独立して、より高い出口圧力を生成することができる。そうすれば、内側のガスリードパイプ７内に気体成分をより速く供給することができ、したがって、爆発性混合物から雲状体６をより素早く形成することができる。
【０１８０】
このように、圧力容器２２、２４は、気体成分の一回分の量を供給するまたは気体成分を計量する役割を果たす。よって、この計量は、毎回、内側の気体供給パイプ７に気体成分を導入する前に行なわれる。
【０１８１】
爆発性混合物に、爆発性混合物から雲状体６が生成されたときまたはその後に、点火装置１８によって点火する。点火装置１８は、洗浄ランス２に装着され、供給圧チャネル内の爆発性混合物に点火する。爆発性混合物の生成およびこの混合物の点火を含む工程を有する洗浄サイクルの開始は、制御装置１７を介しスイッチ１９によって起動することができる。
【０１８２】
内側のガスリードパイプ７の周りの外側の包囲パイプ８によって形成される環状チャネルは、既に述べたように冷却チャネルとして機能する。内側のガスリードパイプ７を冷却するための粘性の冷却剤が、このチャネルを通って循環する。
【０１８３】
洗浄ランス２はしたがって、その供給側端部４ａにおいてまたはその近傍において、冷却剤供給の供給管１２、１３それぞれのための接続部を含む。たとえば水は第１の供給管１２を通して供給され、たとえば空気は第２の供給管１３を通して供給される。また、唯一の冷却剤、たとえば水の供給のために冷却剤供給管を１つだけ設けてもよい。冷却剤、たとえば水／空気混合物は、外側の包囲パイプ８と内側のガスリードパイプ７との間で導かれる。冷却剤は、洗浄ランス２が過熱されないように保護する役割を果たす。冷却剤は、矢印９によって示されるように、再び冷却側端部４ｂから出る。
【０１８４】
洗浄ランス２を通して導かれ冷却側から出る冷却剤はまた、ディフューザ５を冷却する。しかしながら、冷却材が冷却側から出てディフューザを冷却することは、この実施形態の本質的な特徴ではない。
【０１８５】
洗浄ランスの冷却チャネルへの冷却剤の供給は、適切なバルブ１４を介して制御される。これらを起動することにより、冷却のオンオフを切換えることができる。バルブは、手で起動されてもよく、または制御装置を介して制御されてもよい。恒久的な冷却も同様に可能である。
【０１８６】
このようにして設計されるランスの冷却は、好ましくは、冷却しようとしている焼却設備３０の高温の内部に洗浄ランス２を導入する前に起動される。これは典型的には、洗浄ランス２が熱に晒されている間はずっとオンに切換えられたままである。このような能動的なランス冷却は、制御装置１７を介し、制御装置１７を介して起動されている洗浄ランス２のバルブ１４によって行なうことができる。
【０１８７】
当然ながら、ランスの供給側端部の冷却接続部を通して冷却剤を導入し、再び同じ端部に向かって逆流させることも可能である。これはたとえば一方側が閉じられている外側の包囲パイプの場合に可能であろう。
【０１８８】
しかしながら、上記能動的な冷却は任意であり本発明に必要な特徴ではない。外側の包囲パイプ８および環状チャネルは、たとえば、受動的な冷却に対してのみ設計され断熱方式で機能してもよく、このようにして、洗浄ランス２およびその中に位置する爆発性気体混合物またはその気体成分を過熱から保護する。
【０１８９】
本発明に従う洗浄方法を実行するために、洗浄ランス２の冷却側端部４ｂを、導入方向Ｅに、貫通開口部３３を通して焼却設備３０の内側３１に導入し、たとえば一束のパイプ３２の前に配置する。先ず第１に、第１のバルブ２３、２５を、その後または同時に、短時間、たとえば１秒未満開く。この間に、圧力容器２２、２４内の気体は、気体供給管１０、１１を介して洗浄ランス２の内側のガスリードパイプ７内に流れる。
【０１９０】
気体成分は、内側のガスリードパイプ７内で混ぜ合わされて爆発性気体混合物になり、供給圧管を通してディフューザ５の方向に導かれる。供給圧管およびディフューザ５は、導入された爆発性混合物の少なくとも一部のための収容空間２７を形成する。たとえば気体混合物の別の部分はディフューザ５を介して外に流れて雲状体を形成する。
【０１９１】
基本的には、収容空間２７のみを爆発性混合物で満たしてもよい。この場合はたとえばディフューザ５の外側に雲状体は形成されない。
【０１９２】
爆発性混合物からの雲状体６の形成はたとえば０．０１５〜０．０３秒間続く。
第１のバルブ２３、２５を閉じた後、爆発性混合物が、直ちにまたは選択された時間遅延後に、点火装置によって点火され、雲状体６を爆発させる。
【０１９３】
本発明に従う図２に示される洗浄装置５１の実施形態の例は、導入方向Ｅにおいて焼却設備７０の貫通開口部７６を通して焼却設備７０の内部７１に延在する冷却可能な洗浄ランス５２を含む。
【０１９４】
洗浄ランス５２はいずれの場合も供給側端部６５から洗浄側端部６６まで延在するガスリードパイプ６７を含み、これを通して爆発性混合物またはその気体成分が出口開口部６９の方向に導かれる。ガスリードパイプ６７はとりわけ、供給圧管の閉じられた供給圧チャネル７８を形成する。
【０１９５】
計量装置が供給側端部６５に設けられる。ガスリードパイプ６７と同心で配置される入口部とも呼ばれる入口パイプ５３は、ガスリードパイプ５４の中に延びている。内側のパイプ５４は第１の導入チャネルを形成しガスリードパイプ６７内で終端をなす。ガスリードパイプ６７はこの場所で供給圧チャネルを有する供給圧管に合流する。
【０１９６】
爆発性混合物の第１の気体成分が、内側のパイプ５３を介してガスリードパイプ６７に導入される。内側のパイプ５３はしたがって、接続部を介して第１の気体供給管５７に接続される。
【０１９７】
ガスリードパイプ６７内に爆発性混合物の第２の気体成分を供給するための第２の気体供給管５６内には、環状の第２の導入チャネルがあり、これは内側のパイプ５３と外側のパイプとも呼ばれるガスリードパイプ６７との間に形成される。
【０１９８】
バルブ７２、７３を介してガスリードパイプ６７内への気体成分の供給を制御することができ、バルブ７２、７３は、洗浄ランス５２への気体供給管５６、５７の接続部に直接配置される。非戻りバルブ７９は、いずれの場合も、バルブ７２、７３と、気体供給管５６、５７がガスリードパイプ６７内に合流する部分との間に配置される。
【０１９９】
ガスリードパイプ６７の内側のパイプ端部にある混合ゾーン内で、第１の気体成分は第２の気体成分と混ざり合って爆発性混合物になる。第１の気体成分はたとえば気体または液体燃料であってもよく、特に炭化水素化合物であってもよい。第２の気体成分は酸素または酸素含有ガスであってもよい。
【０２００】
スパークプラグ６１を有する点火装置６０がさらに洗浄ランス５２に装着され、このスパークプラグは、ガスリードパイプ６７の中まで延在し、ガスリードパイプ６７内の爆発性混合物に電気的に点火するように設計される。
【０２０１】
ガスリードパイプ６７は包囲パイプ５５によって包まれている。中にガスリードパイプ６７を冷却するための冷却剤が導入される環状の冷却チャネル６８が、包囲パイプ５５とガスリードパイプ６７との間に形成される。このために、第１および第２の冷却剤の供給のために第１および第２の冷却剤供給管５８、５９が接続されている第１および第２の接続部が、洗浄ランス５２の供給側端部６５に設けられる。第１の冷却剤は水等の冷却液であってもよく、第２の冷却剤はたとえば空気等の気体であってもよい。
【０２０２】
バルブ７４、７５を介して冷却剤チャネル６８内への冷却剤供給を制御することができ、バルブ７４、７５は、洗浄ランス５２への冷却剤供給管５８、５９の接続部に配置されてもよい。バルブ７４、７５は手で起動してもよく、または制御装置を介して制御してもよい。恒久的な冷却も同様に可能である。
【０２０３】
また、唯一の冷却剤、たとえば水の供給のために冷却剤供給管を１つのみ設けてもよい
。冷却剤、たとえば水／空気混合物はしたがって、包囲パイプ５５とガスリードパイプ６７との間で導かれる。冷却剤は、洗浄ランス５２が過剰に加熱されないように保護する役割を果たす。
【０２０４】
冷却剤６４は、洗浄側端部６６において軸方向の出口開口部を介して冷却チャネル６８から出ることができる。このようにして洗浄ランス５２を通して導かれる冷却剤は、次に説明するディフューザ６２も冷却することができる。
【０２０５】
このように設計されるランス冷却は、好ましくは、冷却する高温容器内に洗浄ランス５２を導入する前に始動される。これは典型的には、洗浄ランス５２が熱に晒されている間ずっとオンに切換えられたままである。
【０２０６】
しかしながら、上記能動的冷却は任意であり本発明に必要な特徴ではない。
漏斗状ディフューザ６２の形態の出口装置の端部には、爆発性混合物のための出口開口部６９があり、出口装置は、供給側端部６５の反対側にある洗浄側端部６６でガスリードパイプ６７に接続する。ディフューザ６２は開口角αを形成する。さらに、ディフューザ６２の、出口開口部６９の最大直径に対するディフューザ長さの比率はＬ：Ｄである。ディフューザ６２の長さＬはその長手方向軸Ａに沿って測定される（図１も参照）。
【０２０７】
ガスリードパイプ６７を通って高速で流れる爆発性混合物は、内部空間または内部７１に入る前に、静められ、爆発性混合物と周囲雰囲気との間の境界領域における渦流が、雲状体７７を形成するときに出口開口部６９に続く部分で生じる。
【０２０８】
供給圧チャネル内の供給速度約３００ｍ／ｓ（音速）は、たとえば図１および図２に示す出口装置によって出口開口部で４ｍ／ｓまで低下させることができ、これにより、雲状体を形成することが可能である。
【０２０９】
供給圧チャネルおよびディフューザ６２はまた、導入された爆発性混合物の少なくとも一部のための収容空間８０を形成する。上記のように、この気体混合物の別の部分はディフューザ６２を介して外側に流れ雲状体を形成することができる。
【０２１０】
基本的に、ここでは収容空間８０のみを爆発性混合物で満たすこともできる。この場合、たとえばディフューザの外側において雲状体は形成されない。
【０２１１】
図３に示す実施形態の例に従う洗浄器具は、出口開口部９５を有するディフューザ９３の形態の出口装置を含む。渦流要素９４が中心に配置される。渦流要素９４は、供給圧管９２からディフューザ９３に入った爆発性混合物の流れおよび混合の速度をさらに低下させる役割を果たす。渦流要素９４は供給圧管９２内に固定される。渦流要素９４は、流出方向Ｒを横断する方向に配置された小板状の要素を含む（図１も参照のこと）。
【０２１２】
ディフューザ９３はまた、導入された爆発性混合物の一部のための収容空間９９を形成する。この気体混合物の別の部分はディフューザ９３を介して外側に流れ雲状体９６を形成する。
【０２１３】
図３に示す出口装置およびその動作は、代わりに、ディフューザ９３の収容空間９９のみが爆発性混合物で満たされ爆発させられるように構成されてもよい。爆発圧力波９７は出口開口部９５から出て伝搬する。この場合ディフューザ９３の外側において雲状体は形成されない。図３の爆発圧力波９７および雲状体９６はしたがって代替例を示す。
【０２１４】
図４に示す実施形態の例に従う洗浄装置８１は、切頂二十面体の形態で設計された出口
装置８３を有する洗浄器具を含む。これは、漏斗状に広がった部分を表わすディフューザ８４の形態の複数の出口本体を含む。ディフューザは中心から径方向外側に向けられている。出口開口部８５は径方向外向きに配置されている。爆発性混合物のための供給圧チャネル８８を有する供給圧管８２は、二十面体の形状の出口装置８３の中心まで延び、そこから爆発性混合物が漏斗状に広がった部分８４内に導入される。
【０２１５】
図５に示す実施形態の例に従う洗浄器具１０１の出口装置１０３は、球状に設計されている。これは、漏斗状に広がった部分として設計されたディフューザ１０４の形態の複数の出口本体を含む。ディフューザは中心から径方向外側に向けられている。出口開口部１０５は径方向外側を向くように配置されている。
【０２１６】
爆発性混合物のための供給圧チャネル１０８を有する供給圧管１０２は、球状の出口装置１０３の中心まで延びて中心の球状分布空間１１１に合流している。この空間から、爆発性混合物が、球状分布空間１１１の周囲領域の開口部を介して径方向外側に、漏斗状に広がった部分の中に導かれる。流れ案内要素を球状分布空間１１１内に配置してもよい（図示せず）。
【０２１７】
供給圧チャネル１０８の直径は、たとえば１５〜３０ｍｍ、特に２０〜２５ｍｍ、たとえば２１ｍｍであってもよい。
【０２１８】
図６に示す実施形態の例に従う洗浄器具１２１の出口装置１２３は、図５に示す実施形態の例に従う出口装置１０３と同様に構成されている。ただし、この出口装置１２３は半球状に設計されているだけである。これも同様に、漏斗状に広がった部分として設計されたディフューザ１２４の形態の複数の出口本体を含む。ディフューザは中心から径方向外側に向けられている。出口開口部１２５は径方向外側を向くように配置されている。
【０２１９】
雲状体の分解は、境界領域で壁に向かって生じることはない。なぜなら、半球状の出口装置は特に壁上に配置されるからである。半球状の出口装置は、半球状の出口開口部が壁から一定の距離の場所に設けられている場合は、同じ効果を得るために周囲鍔部を含んでいてもよい。
【０２２０】
爆発性混合物のための供給圧チャネル１２８を有する供給圧管１２２は、中心位置において半球状出口装置１２３の平坦な側からその出口装置１２３の中まで延びている。出口装置から爆発性混合物は漏斗状に広がった部分１２４の中に導かれる。出口装置１２３は供給圧管１２２と組合わせてマッシュルーム状に設計される。出口装置１２３の平坦な側は容器または設備の壁１３０に向けられる。出口装置１２３は壁１３０の中に沈むまたは後退するようにしてもよい。
【０２２１】
図４、図５、および図６に示す出口装置によって、爆発性混合物はすべての方向において空間に出ることができる。これは、容器または設備の内部における雲状体の形成を促進または支援する。なぜなら、爆発性混合物は空間内で均一に広がるからである。
【０２２２】
ディフューザの出口開口部における爆発性混合物の出口速度は、図１および図２に示す１つのディフューザと比較してさらに高くてもよい。よって、ディフューザは、開口の直径に対する長さの比率に関して、図１および図２に示すものよりも小さくなるように設計してもよい。開口角も同様に小さく設計してもよい。
【０２２３】
その理由は、端側のディフューザを除いて個々のディフューザは隣接するディフューザによって囲まれており、そこから爆発性混合物がそれぞれ同じように放出されるからである。このため、横方向において周囲大気と混じり合うことは全く起こり得ない。
【０２２４】
外に出る個々のガスの流れ同士の間には渦流または渦は生じないと予想される。なぜなら、爆発性混合物はさらに、すべてのディフューザを通して、好ましくは同一または同様の速度で放出されるからである。これに対し、平面的に流出する爆発性混合物は、流出方向において周囲大気と置換わる。これはさらに、図１０〜図１３に示す実施形態の例に関連する。
【０２２５】
図７は、図５に示す実施形態の例に従うディフューザ１０４の配置の概略図を示す。出口開口部の直径Ｄは、たとえば５〜２０ｍｍ、特に１０〜１５ｍｍ、たとえば１３ｍｍであってもよい。ディフューザ１０４の、漏斗状に広がる部分が始まる場所の最も狭い部分の直径ｄは、たとえば１〜５ｍｍ、特に１〜２ｍｍ、たとえば１．５ｍｍであってもよい。出口装置１２３の中央空間に合流する部分までのディフューザ１０４の長さＬは、たとえば３０〜５０ｍｍ、特に３５〜４５ｍｍ、たとえば３９ｍｍであってもよい。比率Ｄ２：ｄ２はたとえば７５以下であってもよい。これら指定した寸法および比率は、好ましくは図６に示す実施形態の例にも有効である。
【０２２６】
図８ａは、洗浄器具１４１の出口装置１４３を示す。爆発性混合物は供給圧管１４２の供給圧チャネル１４８を介して洗浄器具に流れ込む。出口開口部１４３は、導入された爆発性混合物の少なくとも一部のための収容空間１４７を形成する。図１〜図３に示す実施形態の例と異なり、出口装置１４３は横方向に配置された出口開口部１４５を含む。このため、幅が広がっている断面を有する漏斗状の基体１４４は、この基体に対して横方向に配置された出口本体に合流する。この出口本体も、２つの出口開口部１４５各々に向かって漏斗状に広がっている。したがって、軸方向に基体１４４に流れ込んだ爆発性混合物は、横方向の出口開口部１４５に向けて約９０°（角度の度）偏向する（矢印参照）。結果としてこの基体または出口本体はディフューザとして設計されている。爆発性混合物は、ディフューザの外側で雲状体１４６を形成する。
【０２２７】
図８に示される他の洗浄装置１６１の出口装置１６３も同様に漏斗状の気体１６４を含み、爆発性混合物は供給圧管１６２の供給圧チャネル１６８を介してこの基体に流れ込む。ここでもまた、出口装置１６３は、導入された爆発性混合物の少なくとも一部のための収容空間１６７を形成する。さらに、出口装置１６３も同様に横方向に配置された出口開口部１６５を含む。このため、幅が広がっている断面を有する漏斗状の基体１６４は、この基体に対して横方向に配置された出口本体に合流し、この出口本体も、２つの出口開口部１６５各々に向かって漏斗状に広がっている。基体１６４は、出口本体の方向に導かれる爆発性混合物の流れを２つの出口開口部１６５に向けて分割する流れ案内壁１７０を含む。この流れも同様に、横方向の２つの出口開口部１６５に向けて約９０°偏向する（矢印参照）。ここでもまた、この基体または出口本体はディフューザとして設計されている。爆発性混合物は、ディフューザの外側で雲状体１６６を形成する。
【０２２８】
図８ａおよび図８ｂに示す出口装置は特に、爆発性混合物が横方向に出てゆくので、生じる斥力が減少するまたは斥力が生じないという利点を有する。
【０２２９】
図９ａは、図８ａに示す出口装置に似た種類の構造の出口装置３４３を有する洗浄器具３４１を示す。爆発性混合物は、供給圧管の供給圧チャネル３４８を介して出口装置３４３に流れ込む。出口装置３４３は、導入された爆発性混合物のための収容空間を形成する。出口装置４４３は横方向に配置された出口開口部３４５を含む。このため、断面が供給圧管に対して幅が広がっている基体３４４は、これに対して横方向に配置された出口本体３４９に合流する。出口本体３４９は互いに対向する出口開口部３４５に向けて各々漏斗状に幅が広がった部分を有する。
【０２３０】
爆発性混合物は収容空間３４７内で点火される。爆発圧力波３４６は、横方向の出口開口部に向けて９０°（角度の度）偏向され、出口開口部３４５から出て横方向に伝搬する。
【０２３１】
図９ｂは、図８ｂに示す出口装置と同様の種類の構造の出口装置４４３を有する洗浄器具４４１を示す。出口装置４４３は基体４４４を含み、爆発性混合物はは供給圧管の供給圧チャネル４４８を介してこの基体に流れ込む。ここでも、出口装置４４３は導入された爆発性混合物の少なくとも一部のための収容空間４４７を形成する。さらに、出口装置４４３も同様に横方向に配置された出口開口部４４５を含む。このため、供給圧管に対し幅が広がっている断面を有する基体４４４は、この基体に対して横方向に配置された出口本体４４９に合流し、この出口本体も、２つの出口開口部４４５に向かって漏斗状に広がっている。
【０２３２】
爆発性混合物は収容空間４４７内で点火される。爆発圧力波４４６は、横方向の出口開口部４４５に向けて約９０°（角度の度）偏向され、出口開口部４４５から出て横方向に伝搬する。
【０２３３】
図９ａおよび図９ｂに示す出口装置は特に、爆発圧力波が横方向に出てゆくので、生じる斥力が減少するまたは斥力が生じないという利点を有する。
【０２３４】
図１０に示す、容器または設備の壁１９０の開口部を通して導入される出口装置１８３は、供給圧管１８２の端部から形成されている。この端部の外周上では、漏斗状のディフューザ１８４の形態であり出口開口部１８５を有する複数の出口本体が、径方向外向きに、異なる空間方向に延在している。供給圧管１８２はディフューザ１８４に合流する適切な開口部を含む。ディフューザ１８４は、供給圧管１８２の周りで環状に配置されるとともに、供給圧管の長手方向において連続して配置される。これらは円筒形の出口装置１８３を形成する。
【０２３５】
シールド要素１８６を、出口装置１８３の軸方向の前端と後端各々に配置してもよく、出口方向において出口装置１８３の軸方向の前端と後端各々にあるこのシールド要素は、出口本体１８４から側部に出る爆発性混合物を遮蔽するので、混合による雲状体の分解はこの境界領域では生じない。
【０２３６】
シールド要素１８６は、出口開口部１８５によって形成される出口領域に続いて一種の漏斗状に広がった部分を形成する。シールド要素１８６の形状は、示されているものと異なる設計であってもよい。
【０２３７】
さらに、軸方向部品を有する出口本体を同様に出口装置の前端に配置することを考えてもよい。出口本体の出口開口部は、たとえば図６に示す実施形態の例に示されるように、たとえば半球状の外面を形成してもよい。
【０２３８】
図１１に示される出口装置２０３は、ディフューザフィールドを有する。これは複数の出口本体で構成される。これら出口本体は、隣合わせに配置され、均等に整列させた漏斗状ディフューザ２０４の形態である。この実施形態の例では出口開口部２０５は共通面にあるが、このことは本質的なことではない。出口開口部２０５は平面の出口面を形成する。
【０２３９】
出口装置２０３は特に壁の上または中に設置するのに適する。出口装置２０３はたとえば壁の中に沈むまたは後退するようにしてもよい。出口開口部２０５は壁と同一面にある。
【０２４０】
図１２に示される洗浄器具２２１は出口装置２２３を含む。これは、外側に向けられた出口開口部２２５を有する漏斗状ディフューザ２２４の形態の複数の出口本体を含み、これら出口本体は、供給圧管２２２の周囲に沿って配置され、この管から径方向外側に向かって延在する。ディフューザ２２４は共通面にありこのため円板状の配列を形成する。
【０２４１】
このディフューザの配列に対応する窪みまたは凹部を、容器または設備の壁２３０に設けてもよい。この窪みの中に、出口装置２０３を（矢印の方向に）後退させることによって円板状の配列を詰める、埋込む、または沈めてもよい（図１２ａ参照）。円板状のディフューザ配列は、作業位置を取るために、窪みから容器または設備の空間内に出される（矢印方向）（図１２ｂ参照）。図１２ｃはさらに出口装置２０３のディフューザ配列の平面図を示す。
【０２４２】
洗浄器具２２１は特に、その上にこの器具を載せる壁２３０の洗浄に適している。洗浄器具２２１によって生成される爆発圧力は、壁２３０に付着している汚れをせん断する効果を生み出す。
【０２４３】
図１３に示される洗浄器具２４１は出口装置２４３を含む。これは、回転フィーダと同様に仕切り壁２５１を含む。これら仕切り壁は、供給圧管２４２から径方向に突出し、供給圧管２４２の長手方向に対して平行に配置されている。隣合う２つの仕切り壁２５１は径方向に並んでいるので出口本体を形成する。出口本体は、ディフューザ２４４として作用する楔形空間を形成する。仕切り壁２５１同士の間の楔形空間に合流する開口部２５０が、供給圧管２４２に設けられる。爆発性混合物は、２つの仕切り壁の間に形成されたスロット状出口開口部を通って外に逃げる前に、これら開口部２５０を通って楔形ディフューザ空間に入りここで静められる。
【０２４４】
この実施形態の例に従うと、供給圧管２４２の洗浄側端部は分配または多岐空間を形成する。
【０２４５】
図１３に示す実施形態の例の改良形として、たとえばディフューザとして設計された出口本体を仕切り壁同士の間に配置することも考えられる。これら出口本体は、好ましくは一列で隣同士に配置され供給圧管の開口部に接続される。仕切り壁は、出口本体の出口開口部を過ぎて径方向に延びる。実施形態の例１８３に従うディフューザ１８４の列と列の間に供給圧管１８２から径方向外向きに延びる仕切り壁を配置する場合、同じ結果が得られるであろう。
【０２４６】
仕切り壁は、周囲の雰囲気の中で強い流れがある場合、さらなる保護を提供する。したがって雲状体を仕切り壁の間で保護された状態で形成し点火することができる。仕切り壁は、比較的薄い壁として設計されていても変形しない。なぜなら、爆発時に爆発圧力は仕切り壁の両側で各々蓄積されるからである。
【０２４７】
図３〜図１３に示す実施形態の例に従う出口装置は、たとえば、上記洗浄ランスの洗浄側端部に装着してもよい。
【０２４８】
図１４に示される洗浄装置５０１の概念図に従うと、数個のディフューザ５０４各々に別々の供給圧管５０２を通して爆発性混合物が供給される。この混合物の個々の気体成分は、適切な供給管５１２、５１３を介してれぞれの共通圧力容器５１０、５１１から個々のディフューザ５０４または供給圧管５０１に供給される。
【０２４９】
図１５および図１６に示される洗浄装置５２１、５４１の概念図に従うと、数個のディ
フューザ５２４、５４４に、共通供給部を介して爆発性混合物が供給される。このためのディフューザ５２４には、個々のディフューザ５２４、５４４に分岐する共通供給圧管５２２を通して供給される。
【０２５０】
図１５および図１６に示す実施形態は、図１４に示す実施形態と組合わせてもよい。すなわち、供給圧管５０１は、分岐して、図１４の１つのディフューザ５０４の代わりにいくつかのディフューザに供給してもよい。
【０２５１】
図１７ａおよび図１７ｂは、出口開口部４６５を有する洗浄器具の出口装置４６３のさらに他の実施形態を示す。出口開口部４６５に向かっている出口装置４６３は、漏斗状に広がる部分の形態のディフューザを形成する。出口装置４６３も、ディフューザとともに、導入された爆発性混合物の一部のための収容空間４６７を形成する。この気体混合物の別の部分は、ディフューザ内で静められ、出口開口部４６５を介して流出し雲状体４６６を形成する。
【０２５２】
各々が同様に出口開口部４６５に向かって漏斗状に広がる部分を形成する環状の流れ案内要素４６９が、ディフューザの漏斗状に広がった部分に配置される。環状流路４７１が、ディフューザの外壁と流れ案内要素４６９との間または流れ案内要素４６９間に形成される。この、出口開口部４６５に向かう流路も同様に円錐状に広がる部分を有する。環状流路４７１は、流れ案内要素４６９同士を接続しディフューザの外壁に接続する径方向に配置された接続ウェブ４７０によって中断される。流れ案内要素４６９も同様に、流れを静め均一にすることに寄与する。流れ案内要素４６９の数は変化させてもよい。
【０２５３】
流れ案内要素４６９は、長手方向軸Ａに対して内側から外側に増大する角度を有し得る。この示されている実施形態の例では、この角度は外側に向かって１０°(角度の度）ず
つ増大する。たとえば最も内側にある流れ案内要素４６９の、長手方向軸Ａに対する角度は１０°であり、最外周から２番目の流れ案内要素４６９の角度は２０°であり、外壁の角度は３０°である。
【０２５４】
図１８は、混合ゾーン６６４の領域における洗浄器具６５１の特別な設計を示す。洗浄器具６５１は、供給圧管６５６と供給圧チャネル６５７とを有する洗浄ランスである。点火装置６６８が供給圧管上に設けられる。
【０２５５】
計量（一回分の計量）装置６５４が供給側端部に配置される。計量装置６５４は、外側のパイプとも呼ばれるガスリードパイプ６５８と、内側のパイプ６５９とを含む。内側のパイプ６５９は第１の導入チャネル６５２を形成し、これを介して可燃性の気体成分が供給圧チャネル６５７に導入される。後者の成分は計量バルブ６６３を介して第１の導入チャネル６５２に導入されるが、これは例として示しているに過ぎない。
【０２５６】
環状の第２の導入チャネル６５３が、ガスリードパイプ６５８と内側のパイプ６５９との間に形成される。このチャネルを介して、気体酸素または酸素含有気体成分が供給圧管６５６の供給圧チャネル６５７に導入される。
【０２５７】
内側のパイプ６５９は、気体供給パイプ６５８の内部で終端をなす。第２の環状の導入チャネル６５３はこの場所で供給圧チャネル６５７に合流する。第１および第２の導入チャネル６５２、６５３から共通の供給圧チャネル６５７に流入した気体成分が混ぜ合わされる混合ゾーン６６４が、この領域に形成される。
【０２５８】
断面が減少しているのは、内側のパイプの端部の領域である。この減少とは、第２の環状の導入チャネル６５３の断面が、内側のパイプの端部に向かって円錐状に狭くなってい
ることである。この狭くなっている部分ではさらに、供給圧チャネル６５７の断面が、内側のパイプの端部に続いて供給方向Ｒに円錐状に増している。内側のパイプの端部は、これも供給方向Ｒに増す断面の領域にある。最も狭い場所は内側のパイプの端部の背後にある。
【０２５９】
この断面の変化の幾何学的設計は、洗浄器具６５１が、内側のパイプの端部領域でラバル管を形成し、適切な流れの状態が得られる設計である。
【０２６０】
図１９ａおよび図１９ｂに示す洗浄ランス６０１の実施形態は、計量装置６０４が形成される供給側端部と出口装置６０５が配置される洗浄側端部とを有する洗浄ランスを示す。供給圧チャネル６０７を有する供給圧管６０６は、計量装置６０４と出口装置６０５との間に配置される。爆発性混合物は供給圧チャネル６０７を介して計量装置６０４から出口装置６０５に送られる。
【０２６１】
この例における出口装置６０５は、出口開口部を有する円錐形のディフューザとして設計されている。しかしながら出口装置６０５の設計が異なっていてもよい。
【０２６２】
洗浄ランスは、容器の壁６３０の開口部を通して、洗浄しようとしている容器の内部に導入すればよい。
【０２６３】
計量装置６０４はガスリードパイプ６０８と内側のパイプ６０９とを含む。内側のパイプ６０９は第１の導入チャネル６０２を形成し、可燃性の気体成分はこのチャネルを介して供給圧チャネル６０７に導入される。第２の環状の導入チャネル６０３は、ガスリードパイプ６０８と内側のパイプ６０９との間に形成される。酸素または酸素を含有する気体成分はこの環状の導入チャネルを介して供給圧管６０６の供給圧チャネル６０７に導入される。
【０２６４】
第１の可燃性成分は第１の圧力容器６２１から数個の計量バルブ６１２を介して第１の導入チャネル６０２に導入される。酸素または酸素含有成分は第２の圧力容器６２２から数個の計量バルブ６１３を介して第２の導入チャネル６０３に導入される。
【０２６５】
第１および第２の気体成分の計量バルブ６１２、６１３の数は、計量バルブ６１２、６１３の数の比率が供給する成分の化学量論比に対応するように、選択される。この例では、第１の成分は酸素であり第２の成分はエタンである。これらは化学量論比７：２で導入される。したがって、第１の成分に対しては２つの計量バルブ６１２が設けられ、第２の成分に対しては７つの計量バルブ６１３が設けられる。
【０２６６】
第１の圧力容器６２１には第１の供給管６１０を介して、第２の圧力容器６２２には第２の供給管６１１を介して、それぞれの気体成分が供給される。
【０２６７】
内側のパイプ６０９の端部はガスリードパイプ６０８の中にある。第２の環状の導入チャネル６０３は、内側のパイプの端部で供給圧チャネル６０７に合流する。この領域には混合ゾーン６１４が形成され、この混合ゾーン内では第１および第２の導入チャネル６０２、６０３から共通の供給圧チャネル６０７に流入した気体成分が混ぜ合わされる。供給圧チャネル６０７の断面は、混合ゾーンにおいて漏斗状に広がっている。
【０２６８】
爆発性混合物に点火するための点火装置６６８が供給圧管６５６に設けられる。制御装置６１７が、点火装置６６８におよび計量バルブ６１２、６１３に、制御リード６１９を介して接続される。制御リード６１９は無線接続にも相当する。計量バルブ６１２、６１３の開放と閉鎖および点火装置の起動は、制御装置６１７を介して行なわれる。
【図１】
2019195808.tif 000003
【図２】
2019195808.tif 000004
【図３】
2019195808.tif 000005
【図４】
2019195808.tif 000006
【図５】
2019195808.tif 000007
【図６】
2019195808.tif 000008
【図７】
2019195808.tif 000009
【図８ａ−８ｂ】
2019195808.tif 000010
【図９ａ】
2019195808.tif 000011
【図９ｂ】
2019195808.tif 000012
【図１０】
2019195808.tif 000013
【図１１】
2019195808.tif 000014
【図１２ａ】
2019195808.tif 000015
【図１２ｂ】
2019195808.tif 000016
【図１２ｃ】
2019195808.tif 000017
【図１３】
2019195808.tif 000018
【図１４】
2019195808.tif 000019
【図１５】
2019195808.tif 000020
【図１６】
2019195808.tif 000021
【図１７ａ】
2019195808.tif 000022
【図１７ｂ】
2019195808.tif 000023
【図１８】
2019195808.tif 000024
【図１９ａ】
2019195808.tif 000025
【図１９ｂ】
2019195808.tif 000026
【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
容器および設備（３０，７０）の内部の堆積物を洗浄装置（１，５１，８１，１０１，１２１，１４１，１６１，１８１，２０１，２２１，２４１）を用い爆発技術によって除去するための方法であって、前記洗浄装置（１，５１，８１，１０１，１２１，１４１，１６１，１８１，２０１，２２１，２４１）は、供給圧管を有する長手方向部品と、前記供給圧管（７，６７，８２，１０２，１２２，１４２，１６１，１８２，２０２，２２２，２４２）に接続され少なくとも１つの出口開口部（２６，６９，８４，１０５，１２５，１４５，１６５，１８５，２０５，２２５，２４５）を有する出口装置とを含み、
前記方法は、
前記出口装置を有する前記長手方向部品を前記容器または設備の内部に導入するステップと、
少なくとも１つの気体成分を前記長手方向部品に導入するステップと、
前記供給圧管に、および前記供給圧管を介して前記出口装置に、前記少なくとも１つの気体成分から気体爆発性混合物を与えるステップとを含み、前記供給圧管と前記出口装置（５，６２，４６３）は、爆発性気体混合物を収容するための収容空間（２７，８０，４６７）を形成し、
前記供給圧管内に配置された点火装置を用いて前記爆発性気体混合物に対し制御された点火を行ない前記爆発性気体混合物を爆発させるステップを含み、
前記出口装置（５，６２，８３，１０３，１２３，１４３，１６３，１８３，２０３，２２３，２４３）はディフューザを備え、前記収容空間（２７，８０，４６７）から前記出口開口部（２６，６９，８４，１０５，１２５，１４５，１６５，１８５，２０５，２２５，２４５）を介して前記容器または設備（３０，７０）の前記内部（３１，７１）に爆発性気体混合物が導入され、雲状体の端部領域が周囲の大気と直に接するように、爆発性気体混合物の前記雲状体（６，７７）が前記内部（３１，７１）に形成され、
前記収容空間（２７，８０，４６７）の爆発性気体混合物の体積と、爆発性気体混合物の雲状体の体積とは、爆発性気体混合物の総体積を構成し、
前記爆発性気体混合物の総体積は、生成され、１秒未満の期間、制御された状態で爆発させることを特徴とする、方法。
【請求項２】
前記収容空間（２７，８０，４６７）は、前記少なくとも１つの気体成分の導入中ならびに前記爆発性気体混合物の点火および爆発中、前記少なくとも１つの出口開口部（２６，６９，４６５）を介して外側に開いていることを特徴とする、請求項１に記載の方法。
【請求項３】
前記爆発性気体混合物の総体積は、生成され、０．５秒以下の期間、制御された状態で爆発させることを特徴とする、請求項１または２に記載の方法。
【請求項４】
前記爆発性気体混合物の総体積は、生成され、０．１秒以下の期間、制御された状態で爆発させることを特徴とする、請求項３に記載の方法。
【請求項５】
前記少なくとも１つの気体成分の導入は、少なくとも１つの圧力容器から少なくとも１つの計量器具（２３，３５）を介して行なわれ、前記気体成分の導入の完了後、前記少なくとも１つの圧力容器内の残留圧力は超過圧力領域にあることを特徴とする、請求項１または２に記載の方法。
【請求項６】
少なくとも２つの気体成分が前記長手方向部品に導入され、前記気体成分が混合されて爆発性気体混合物になる混合ゾーン（６１４，６６４）が前記長手方向部品（６０１，６５１）内に形成されることを特徴とする、請求項１または２に記載の方法。
【請求項７】
前記爆発性気体混合物の総体積を形成するために、前記少なくとも１つの気体成分が、少なくとも１つの計量器具を介して、前記供給圧管（６０６，６５６）の爆発性気体混合物が圧力波面を形成する高い速度で、前記長手方向部品に導入されることを特徴とする、請求項１または２に記載の方法。
【請求項８】
前記爆発性気体混合物は、流れの方向において前記圧力波面の後ろで超過圧力を有することを特徴とする、請求項７に記載の方法。
【請求項９】
前記爆発性気体混合物は、流れの方向において前記圧力波面の後ろで、周囲の状態と比較してより高い密度を有することを特徴とする、請求項７または８に記載の方法。
【請求項１０】
前記出口開口部の方向に移動し前記少なくとも１つの出口開口部を通して前記爆発性気体混合物の爆発を引起す爆発圧力波が、前記供給圧管における前記爆発性気体混合物の点火によって生成され、これにより前記爆発性気体混合物の雲状体が形成されるまたはその生成が完了することを特徴とする、請求項１または２に記載の方法。
【請求項１１】
前記爆発性気体混合物は前記供給圧管（７，８２，６７）内で点火されることを特徴とする、請求項１または２に記載の方法。
【請求項１２】
前記供給圧管（７，８２，６７）内で開始された爆発は、前記出口装置（５，６２，８３）の外側にある雲状体（６，７７）に伝達されることを特徴とする、請求項１０に記載の方法。
【請求項１３】
前記ディフューザ（５，６２，８３）の開口角は４５°以下であることを特徴とする、請求項１または２に記載の方法。
【請求項１４】
少なくとも１つの渦流要素（９４）が前記ディフューザ（９３）または前記供給圧管（９２）に配置されることを特徴とする、請求項１または２に記載の方法。
【請求項１５】
前記出口装置（８３，１０３，１２３，１８３，２０３，２２３，２４３）は、各々が出口開口部（８５，１０５，１２５，１８５，２０５，２２５，２４５）を有する１つ以上の出口本体を含むことを特徴とする、請求項１または２に記載の方法。
【請求項１６】
個々の前記出口本体はディフューザとして設計されることを特徴とする、請求項１５に記載の方法。
【請求項１７】
前記出口装置は数個の出口本体を含み、前記出口本体は、
中心から径方向外側に向けられ、前記出口開口部は球状または半球状の出口面を定め、
平面において中心から径方向外側に向けて配置され、前記出口開口部は環状の出口面を定め、または、
中心軸に沿って径方向外側に向けられ、前記出口開口部は円筒状の出口面を形成することを特徴とする、請求項１または２に記載の方法。
【外国語明細書】
2019195808000001.pdf